(57)【要約】      （修正有）【課題】経鼻物質投与装置に関し、より詳しくは、様々な異なる方法で、対象者の鼻腔に物質を送達するために有効な飲用／空気吸入作動装置を提供する。【解決手段】物質を対象者の鼻腔に送達するように構成された空気吸入作動装置５００であって、ａ．物質を収容するための容器５０３と、ｂ．対象者の鼻に近接して配置するための装置から伸長するノーズピース５０４であって、容器と流体で連通されているノーズピースと、ｃ．容器に機械的に接続可能なバルブ５０７であって、アクティブ構造と非アクティブ構造によって構成されるバルブと、ｄ．バルブを、アクティブ構造から非アクティブ構造へ、及びその逆も同様に変更するように構成された作動機構とを備え、作動機構は、対象者がマウスピースを通じて空気を吸入することによって作動され、さらに、作動機構は、対象者の空気の吸入に応じた所定の期間、バルブを非アクティブ構造からアクティブ構造に変更するように構成されている。【選択図】図１５
0003193069.tif 000002
【実用新案登録請求の範囲】
【請求項１】
物質を対象者の鼻腔に送達するように構成された飲用作動装置であって、前記装置は、
ａ．前記物質を収容するための容器と、
ｂ．前記対象者の鼻に近接して配置するための前記装置から伸びているノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）非アクティブ構造との少なくとも２つの構造によって構成される前記バルブと、
ｄ．前記対象者の口に配置するための前記装置から伸びているマウスピースと、
ｅ．前記バルブを、前記アクティブ構造から前記非アクティブ構造へ、及びその逆も同様に変更するように構成された作動機構と、を備え、
前記マウスピースは、流体を収容する流体タンクと細管によって流体的に連通可能であり、前記流体タンクは、前記マウスピースを介して前記対象者の口に前記流体を供給するように構成され、
さらに、前記作動機構は、前記対象者が前記細管を通じて前記流体を飲用している間に、前記細管に適用される吸引により発生した圧力勾配に応じた所定の期間、前記バルブを前記非アクティブ構造から前記アクティブ構造に変更するように構成されていることを特徴とする飲用作動装置。
【請求項２】
前記作動機構は、前記圧力勾配がないときに、前記バルブを前記アクティブ構造から前記非アクティブ構造に変更するように構成されていることを特徴とする請求項１に記載の飲用作動装置。
【請求項３】
前記作動機構は、前記圧力勾配に応答して相互に移動するように構成された制御部材を備えており、前記制御部材は、（ｉ）前記対象者に対し、前記細管及び前記非アクティブ構造における前記バルブを介して、前記流体が供給されない閉鎖構造と、（ｉｉ）前記対象者が、前記細管及び前記アクティブ構造における前記バルブを通じて、前記流体を飲用する開放構造との、少なくとも２つの構造を有することを特徴とする請求項１に記載の飲用作動装置。
【請求項４】
前記閉鎖構造における前記制御部材は、前記流体タンクから前記マウスピースへの前記流体の通過を妨げるように構成されていることを特徴とする請求項３に記載の飲用作動装置。
【請求項５】
前記作動機構は、可撓性膜をさらに備えており、前記制御部材が前記閉鎖構造から前記開放構造に変更され、及び逆も同様に変更されるように、前記可撓性膜は、前記対象者によって前記細管に適用された前記吸引により発生した前記圧力勾配に応じてその形状を変更するように構成されていることを特徴とする請求項３に記載の飲用作動装置。
【請求項６】
前記制御部材は、少なくとも部分的に前記細管内に配置されている第１端部、前記膜と機械的に接続された中間部分、及び、前記バルブと連通する第２端部の少なくとも３つの部分を有することを特徴とする請求項５に記載の飲用作動装置。
【請求項７】
前記制御部材の前記第１端部は、前記細管に対して実質的に垂直であり、かつ、前記細管内で実質的に垂直に移動可能であることを特徴とする請求項６に記載の飲用作動装置。
【請求項８】
前記制御部材の前記閉鎖構造から前記開放構造への変更において、前記第１端部は、前記細管内に及び前記細管に対して移動するように構成されていることを特徴とする請求項６に記載の飲用作動装置。
【請求項９】
前記制御部材は、前記膜及び前記マウスピースと流体的に連通する第１開口部を備え、前記制御部材が前記閉鎖構造から前記開放構造に変更されるために前記膜を変更するように、前記第１開口部は、前記細管から前記膜へ前記圧力勾配を移すように構成されていることを特徴とする請求項５に記載の飲用作動装置。
【請求項１０】
前記制御部材には、前記制御部材が前記開放構造にある際に、前記制御部材を通じた前記流体の流れを促進するように構成された第２開口部が備えられており、前記流体が前記制御部材を通過している間は、前記第２開口部内の前記流体の前記流れは、前記制御部材が前記開放構造にある状態を維持するように構成されていることを特徴とする請求項５に記載の飲用作動装置。
【請求項１１】
前記圧力勾配が所定の閾値を越えるときに、前記バルブは前記非アクティブ構造から前記アクティブ構造に変更可能であることを特徴とする請求項１に記載の飲用作動装置。
【請求項１２】
前記バルブには、前記非アクティブ構造では少なくとも部分的に緊張され、前記アクティブ構造では少なくとも部分的に弛緩されるばねを備えていることを特徴とする請求項１に記載の飲用作動装置。
【請求項１３】
前記バルブには、前記非アクティブ構造では少なくとも部分的に弛緩され、前記アクティブ構造では少なくとも部分的に緊張されるばねを備えていることを特徴とする請求項１に記載の飲用作動装置。
【請求項１４】
前記対象者による前記流体の前記飲用は、前記対象者の鼻の鼻道が肺系統から実質的に分離されるように、前記対象者の軟口蓋を閉止させるように構成されていることを特徴とする請求項１に記載の飲用作動装置。
【請求項１５】
前記細管は、少なくとも部分的にストローであることを特徴とする請求項１に記載の飲用作動装置。
【請求項１６】
前記物質を前記容器内に圧縮するように構成されたピストンをさらに備えることを特徴とする請求項１に記載の飲用作動装置。
【請求項１７】
前記バルブが前記アクティブ構造に形成される際に、前記バルブは、前記物質の方へ前記ピストンを動かすように構成されていることを特徴とする請求項１６に記載の飲用作動装置。
【請求項１８】
前記作動機構の動作は、前記対象者による前記流体の前記飲用と同期して行われることを特徴とする請求項１に記載の飲用作動装置。
【請求項１９】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項１に記載の飲用作動装置。
【請求項２０】
前記各パルスで、前記物質の前記所定量の少なくとも２用量が放出されることを特徴とする請求項１９に記載の飲用作動装置。
【請求項２１】
前記ノーズピースは、スプレーノズルによって、前記バルブと流体で連通していることを特徴とする請求項１に記載の飲用作動装置。
【請求項２２】
前記スプレーノズルは、前記所定の期間に影響を及ぼす直径に構成されていることを特徴とする請求項１に記載の飲用作動装置。
【請求項２３】
前記容器は、シリンジであることを特徴とする請求項１に記載の飲用作動装置。
【請求項２４】
殺菌のために、前記装置の部品の少なくとも一部を覆うように構成された蓋をさらに備えることを特徴とする請求項１に記載の飲用作動装置。
【請求項２５】
前記蓋には、孔部が備えられていることを特徴とする請求項２４に記載の飲用作動装置。
【請求項２６】
前記容器は外部容器に接続しており、該外部容器は、前記容器を前記物質で満たすように構成されていることを特徴とする請求項１に記載の飲用作動装置。
【請求項２７】
前記外部容器は、前記容器を前記物質の所定の投与量で満たすように構成されていることを特徴とする請求項２６に記載の飲用作動装置。
【請求項２８】
前記容器内の前記物質の量を表示するように構成された表示手段をさらに備えることを特徴とする請求項１に記載の飲用作動装置。
【請求項２９】
前記表示手段は、前記容器の側面に配置された透明な窓であることを特徴とする請求項２８に記載の飲用作動装置。
【請求項３０】
前記流体は、水、ジュース、液状医薬、冷たい流体、暖かい流体又はこれらのいかなる組み合わせからなる群から選択されることを特徴とする請求項１に記載の飲用作動装置。
【請求項３１】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項１に記載の飲用作動装置。
【請求項３２】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項１に記載の飲用作動装置。
【請求項３３】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項１に記載の飲用作動装置。
【請求項３４】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項１に記載の飲用作動装置。
【請求項３５】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項１に記載の飲用作動装置。
【請求項３６】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項１に記載の飲用作動装置。
【請求項３７】
ａ．対象者の鼻腔に物質を送達するための飲用作動装置を準備する工程であって、前記装置は、（ｉ）前記物質を収容するための容器と、（ｉｉ）前記対象者の鼻に近接して配置するための前記装置から伸長するノーズピースであって、前記容器と流体で連通されている前記ノーズピースと、（ｉｉｉ）前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記対象者の鼻に前記薬剤が送達されない非アクティブ構造との少なくとも２つの構造によって構成される前記バルブと、（ｉｖ）前記対象者の口に配置するための前記装置から伸長するマウスピース及び前記バルブを、前記アクティブ構造から前記非アクティブ構造へ、及びその逆も同様に変更するように構成された作動機構と、を備え、（ｖ）前記マウスピースは、流体を収容する流体タンクと細管によって流体的に連通可能であり、前記流体タンクは、前記マウスピースを介して前記対象者の口に前記流体を供給するように構成され、
ｂ．前記ノーズピースを前記対象者の鼻の中あるいは周りに取り付ける工程と、
ｃ．前記細管を流体タンクに流体的に連通させる工程と、
ｄ．前記マウスピースを前記対象者の口の中に入れて取り付ける工程と、
ｅ．前記マウスピースを通じて前記流体を飲用し、それによって、前記対象者が前記細管を通じて前記流体を飲用している間に前記細管に適用される吸引により発生した圧力勾配に応じた所定の期間、前記作動機構を介して前記バルブを前記非アクティブ構造から前記アクティブ構造に変更する工程と、
ｆ．前記容器から前記ノーズピースへ前記物質の所定量を放出する工程と、を備えることを特徴とする対象者の鼻腔に物質を送達する方法。
【請求項３８】
前記圧力勾配がないときに、前記作動機構を介して前記バルブを前記アクティブ構造から前記非アクティブ構造に変更する工程をさらに備えることを特徴とする請求項３７に記載の対象者の鼻腔に物質を送達する方法。
【請求項３９】
前記作動機構に、前記圧力勾配に応答して相互に移動するように構成された制御部材を設ける工程をさらに備え、前記制御部材は、（ｉ）前記対象者に対し、前記細管及び前記非アクティブ構造における前記バルブを介して、前記流体が供給されない閉鎖構造と、（ｉｉ）前記対象者が、前記細管及び前記アクティブ構造における前記バルブを通じて、前記流体を飲用する開放構造との、少なくとも２つの構造を有することを特徴とする請求項３７に記載の対象者の鼻腔に物質を送達する方法。
【請求項４０】
前記閉鎖構造における前記制御部材は、前記流体タンクから前記マウスピースへの前記流体の通過を妨げるように構成されていることを特徴とする請求項３７に記載の対象者の鼻腔に物質を送達する方法。
【請求項４１】
前記作動機構に可撓性膜を設け、前記可撓性膜の形状を前記圧力勾配に応じて変更し、それによって、前記制御部材が前記閉鎖構造から前記開放構造に、及び逆も同様に変更される工程をさらに備えることを特徴とする請求項３７に記載の対象者の鼻腔に物質を送達する方法。
【請求項４２】
前記制御部材は、少なくとも部分的に前記細管内に配置されている第１端部、前記膜と機械的に接続された中間部分、及び、前記バルブと連通する第２端部の少なくとも３つの部分を有することを特徴とする請求項４１に記載の対象者の鼻腔に物質を送達する方法。
【請求項４３】
前記制御部材に、前記膜及び前記マウスピースと流体的に連通する第１開口部を設ける工程をさらに備え、前記第１開口部を介して前記細管から前記鼻腔へ前記圧力勾配を移し、それによって、前記制御部材が前記開放構造から前記閉鎖構造に変更されることを特徴とする請求項４１に記載の対象者の鼻腔に物質を送達する方法。
【請求項４４】
前記制御部材が前記開放構造にある際に、前記制御部材に、前記制御部材を通じた前記流体の流れを促進するように構成された第２開口部を設ける工程をさらに備え、前記流体が前記制御部材を通過している間は、前記第２開口部内の前記流体の前記流れは、前記制御部材が前記開放構造にある状態を維持するように構成されていることを特徴とする請求項４１に記載の対象者の鼻腔に物質を送達する方法。
【請求項４５】
前記圧力勾配が所定の閾値を越えるときに、前記バルブが前記非アクティブ構造から前記アクティブ構造に変更する工程をさらに備えることを特徴とする請求項３７に記載の対象者の鼻腔に物質を送達する方法。
【請求項４６】
前記バルブに、前記非アクティブ構造では少なくとも部分的に緊張され、前記アクティブ構造では少なくとも部分的に弛緩されるばねを設ける工程をさらに備えていることを特徴とする請求項３７に記載の対象者の鼻腔に物質を送達する方法。
【請求項４７】
前記バルブに、前記非アクティブ構造では少なくとも部分的に弛緩され、前記アクティブ構造では少なくとも部分的に緊張されるばねを設ける工程をさらに備えていることを特徴とする請求項３７に記載の対象者の鼻腔に物質を送達する方法。
【請求項４８】
前記流体の飲用の前記（ｆ）工程の結果としての前記対象者の軟口蓋を閉止する工程をさらに備え、それによって、前記対象者の鼻の鼻道が肺系統から実質的に分離されることを特徴とする請求項３７に記載の対象者の鼻腔に物質を送達する方法。
【請求項４９】
前記細管は、少なくとも部分的にストローであることを特徴とする請求項３７に記載の対象者の鼻腔に物質を送達する方法。
【請求項５０】
ピストンを介して前記容器内に前記物質を圧縮する工程をさらに備えることを特徴とする請求項３７に記載の対象者の鼻腔に物質を送達する方法。
【請求項５１】
前記バルブが前記アクティブ構造に形成される際に、前記バルブは、前記物質の方へ前記ピストンを動かす工程をさらに備えていることを特徴とする請求項５０に記載の対象者の鼻腔に物質を送達する方法。
【請求項５２】
前記作動機構の動作は、前記対象者による前記流体の前記飲用と同期して行われる工程をさらに備えることを特徴とする請求項３７に記載の対象者の鼻腔に物質を送達する方法。
【請求項５３】
前記作動機構に、一連のパルスで前記バルブを前記非アクティブ構造から前記アクティブ構造へ、及びその逆に変更するように構成されたパルス機構を設ける工程をさらに備え、各パルスは所定の長さによって構成されており、前記バルブは前記一連のパルスによって前記物質の前記所定量を放出するように構成されていることを特徴とする請求項３７に記載の対象者の鼻腔に物質を送達する方法。
【請求項５４】
前記各パルスで、前記物質の前記所定量の少なくとも２用量を放出する工程をさらに備えることを特徴とする請求項５３に記載の対象者の鼻腔に物質を送達する方法。
【請求項５５】
前記ノーズピースは、スプレーノズルによって、前記バルブと流体で連通していることを特徴とする請求項３７に記載の対象者の鼻腔に物質を送達する方法。
【請求項５６】
前記スプレーノズルは、前記所定の期間に影響を及ぼす直径に構成されていることを特徴とする請求項３７に記載の対象者の鼻腔に物質を送達する方法。
【請求項５７】
前記容器は、シリンジであることを特徴とする請求項３７に記載の対象者の鼻腔に物質を送達する方法。
【請求項５８】
殺菌のために、前記装置の部品の少なくとも一部を覆うように構成された蓋を前記装置に設ける工程をさらに備えることを特徴とする請求項３７に記載の対象者の鼻腔に物質を送達する方法。
【請求項５９】
前記蓋には、孔部が備えられていることを特徴とする請求項５８に記載の対象者の鼻腔に物質を送達する方法。
【請求項６０】
前記容器は外部容器に接続しており、該外部容器は、前記容器を前記物質で満たすように構成されていることを特徴とする請求項３７に記載の対象者の鼻腔に物質を送達する方法。
【請求項６１】
前記外部容器によって、前記容器を前記物質の所定の投与量で満たす工程をさらに備えていることを特徴とする請求項６０に記載の対象者の鼻腔に物質を送達する方法。
【請求項６２】
前記容器内の前記物質の量を表示するように構成された表示手段を、前記容器に設ける工程をさらに備えることを特徴とする請求項３７に記載の対象者の鼻腔に物質を送達する方法。
【請求項６３】
前記表示手段は、前記容器の側面に配置された透明な窓であることを特徴とする請求項６２に記載の対象者の鼻腔に物質を送達する方法。
【請求項６４】
前記流体を、水、ジュース、液状医薬、冷たい流体、暖かい流体又はこれらのいかなる組み合わせからなる群から選択する工程をさらに備えることを特徴とする請求項３７に記載の対象者の鼻腔に物質を送達する方法。
【請求項６５】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項３７に記載の対象者の鼻腔に物質を送達する方法。
【請求項６６】
前記物質を選択する工程をさらに備え、前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ（Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス（Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項３７に記載の対象者の鼻腔に物質を送達する方法。
【請求項６７】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項３７に記載の対象者の鼻腔に物質を送達する方法。
【請求項６８】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項３７に記載の対象者の鼻腔に物質を送達する方法。
【請求項６９】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項３７に記載の対象者の鼻腔に物質を送達する方法。
【請求項７０】
天然油：ミント油、ペパーミント油、スペアミント油、メントール、オリーブ油、ユーカリ油、及びアミノ酸、脂肪酸及び又はこれらのいかなる組み合わせからなる群から前記物質を選択する工程をさらに備えることを特徴とする請求項３７に記載の対象者の鼻腔に物質を送達する方法。
【請求項７１】
物質を対象者の鼻腔に送達するように構成された空気吸入作動装置であって、前記装置は、
ａ．前記物質を収容するための容器と、
ｂ．前記対象者の鼻に近接して配置するための前記装置から伸長するノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記バルブが前記容器から前記鼻腔に前記物質の所定量の送達を防ぐ非アクティブ構造との少なくとも２つの構造によって構成される前記バルブと、
ｄ．前記対象者の口に配置するための前記装置から伸長するマウスピースと、
ｅ．前記バルブを、前記アクティブ構造から前記非アクティブ構造へ、及びその逆も同様に変更するように構成された作動機構と、を備え、
前記作動機構は、前記対象者が前記マウスピースを通じて空気を吸入することによって作動され、
さらに、前記作動機構は、前記対象者の空気の吸入に応じた所定の期間、前記バルブを前記非アクティブ構造から前記アクティブ構造に変更するように構成されていることを特徴とする空気吸入作動装置。
【請求項７２】
前記作動機構は、前記対象者が前記吸入をやめたときに、前記バルブを前記アクティブ構造から前記非アクティブ構造に変更するように構成されていることを特徴とする請求項７１に記載の空気吸入作動装置。
【請求項７３】
前記作動機構には、前記バルブと機械的に連通し、前記対象者が空気を吸入するときに前記膜はその初期位置から移動されて前記バルブが開かれるような可撓性膜が備えられていることを特徴とする請求項７１に記載の空気吸入作動装置。
【請求項７４】
前記物質の所定量で満たされるように構成された中間部分をさらに備え、前記対象者に対する前記物質の送達が前記中間部分由来であることを特徴とする請求項７１に記載の空気吸入作動装置。
【請求項７５】
前記作動機構の動作は、前記対象者による空気の前記吸入と同期して行われることを特徴とする請求項７１に記載の空気吸入作動装置。
【請求項７６】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項７１に記載の空気吸入作動装置。
【請求項７７】
前記各パルスで、前記物質の前記所定量の少なくとも２用量が放出されることを特徴とする請求項７６に記載の空気吸入作動装置。
【請求項７８】
前記ノーズピースは、スプレーノズルによって、前記バルブと流体で連通していることを特徴とする請求項７１に記載の空気吸入作動装置。
【請求項７９】
前記スプレーノズルは、前記所定の期間に影響を及ぼす直径に構成されていることを特徴とする請求項７１に記載の空気吸入作動装置。
【請求項８０】
殺菌のために、前記装置の部品の少なくとも一部を覆うように構成された蓋をさらに備えることを特徴とする請求項７１に記載の空気吸入作動装置。
【請求項８１】
前記蓋には、孔部が備えられていることを特徴とする請求項８０に記載の空気吸入作動装置。
【請求項８２】
前記容器は外部容器に接続しており、該外部容器は、前記容器を前記物質で満たすように構成されていることを特徴とする請求項７１に記載の空気吸入作動装置。
【請求項８３】
前記外部容器は、前記容器を前記物質の所定の投与量で満たすように構成されていることを特徴とする請求項８２に記載の空気吸入作動装置。
【請求項８４】
前記容器内の前記物質の量を表示するように構成された表示手段をさらに備えることを特徴とする請求項７１に記載の空気吸入作動装置。
【請求項８５】
前記表示手段は、前記容器の側面に配置された透明な窓であることを特徴とする請求項８４に記載の空気吸入作動装置。
【請求項８６】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項７１に記載の空気吸入作動装置。
【請求項８７】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項７１に記載の空気吸入作動装置。
【請求項８８】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項７１に記載の空気吸入作動装置。
【請求項８９】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項７１に記載の空気吸入作動装置。
【請求項９０】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項７１に記載の空気吸入作動装置。
【請求項９１】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項７１に記載の空気吸入作動装置。
【請求項９２】
ａ．対象者の鼻腔に物質を送達するための空気吸入作動装置を準備する工程であって、前記装置は、（ｉ）前記物質を収容するための容器と、（ｉｉ）前記対象者の鼻に近接して配置するための前記装置から伸長するノーズピースであって、前記容器と流体で連通されている前記ノーズピースと、（ｉｉｉ）前記容器に機械的に接続可能なバルブであって、（ｉ）前記バルブが前記容器から前記ノーズピースを介して前記鼻腔への前記物質の所定量の送達を可能にするアクティブ構造と、（ｉｉ）前記バルブが前記容器から前記鼻腔への前記薬剤の所定量の送達を妨げる非アクティブ構造との少なくとも２つの構造によって構成される前記バルブと、（ｉｖ）前記対象者の口に配置するための前記装置から伸長するマウスピースと、（ｖ）前記バルブを、前記アクティブ構造から前記非アクティブ構造へ、及びその逆も同様に変更するように構成された作動機構と、を備え、前記作動機構は、前記マウスピースを通じた対象者の空気吸入によって作動し、さらに、前記作動機構は、前記対象者の空気吸入に応じた所定の期間、前記バルブを前記非アクティブ構造から前記アクティブ構造に変更するように構成され、
ｂ．前記ノーズピースを前記対象者の鼻の中あるいは周りに取り付ける工程と、
ｃ．前記マウスピースを前記対象者の口の中に入れて取り付ける工程と、
ｄ．空気を吸入し、それに応じた所定の期間、前記バルブを前記非アクティブ構造から前記アクティブ構造に変更する工程と、
ｅ．前記容器から前記ノーズピースへ前記物質の所定量を放出する工程と、を備えることを特徴とする対象者の鼻腔に物質を送達する方法。
【請求項９３】
前記対象者が前記吸入を止めたときに、前記バルブは、前記作動機構を介して前記アクティブ構造から前記非アクティブ構造に変更する工程をさらに備えることを特徴とする請求項９２に記載の対象者の鼻腔に物質を送達する方法。
【請求項９４】
前記作動機構に可撓性膜を設ける工程をさらに備え、前記可撓性膜は前記バルブと機械的に連通し、前記対象者が空気を吸入するときに前記膜はその初期位置から移動されて前記バルブが開かれることを特徴とする請求項９２に記載の対象者の鼻腔に物質を送達する方法。
【請求項９５】
前記装置に前記物質の所定量で満たされるように構成された中間部分を設ける工程をさらに備え、前記対象者に対する前記物質の送達が前記中間部分由来であることを特徴とする請求項９２に記載の対象者の鼻腔に物質を送達する方法。
【請求項９６】
前記作動機構の動作は、前記対象者による前記流体の前記飲用と同期して行われる工程をさらに備えることを特徴とする請求項９２に記載の対象者の鼻腔に物質を送達する方法。
【請求項９７】
前記作動機構に、一連のパルスで前記バルブを前記非アクティブ構造から前記アクティブ構造へ、及びその逆に変更するように構成されたパルス機構を設ける工程をさらに備え、各パルスは所定の長さによって構成されており、前記バルブは前記一連のパルスによって前記物質の前記所定量を放出するように構成されていることを特徴とする請求項９２に記載の対象者の鼻腔に物質を送達する方法。
【請求項９８】
前記各パルスで、前記物質の前記所定量の少なくとも２用量を放出する工程をさらに備えることを特徴とする請求項９７に記載の対象者の鼻腔に物質を送達する方法。
【請求項９９】
前記ノーズピースは、スプレーノズルによって、前記バルブと流体で連通していることを特徴とする請求項９２に記載の対象者の鼻腔に物質を送達する方法。
【請求項１００】
前記スプレーノズルは、前記所定の期間に影響を及ぼす直径に構成されていることを特徴とする請求項９２に記載の対象者の鼻腔に物質を送達する方法。
【請求項１０１】
殺菌のために、前記装置の部品の少なくとも一部を覆うように構成された蓋を前記装置に設ける工程をさらに備えることを特徴とする請求項９２に記載の対象者の鼻腔に物質を送達する方法。
【請求項１０２】
前記蓋には、孔部が備えられていることを特徴とする請求項１０１に記載の対象者の鼻腔に物質を送達する方法。
【請求項１０３】
前記容器は外部容器に接続しており、該外部容器は、前記容器を前記物質で満たすように構成されていることを特徴とする請求項９２に記載の対象者の鼻腔に物質を送達する方法。
【請求項１０４】
前記外部容器によって、前記容器を前記物質の所定の投与量で満たす工程をさらに備えていることを特徴とする請求項１０３に記載の対象者の鼻腔に物質を送達する方法。
【請求項１０５】
前記容器内の前記物質の量を表示するように構成された表示手段を、前記容器に設ける工程をさらに備えることを特徴とする請求項９２に記載の対象者の鼻腔に物質を送達する方法。
【請求項１０６】
前記表示手段は、前記容器の側面に配置された透明な窓であることを特徴とする請求項１０５に記載の対象者の鼻腔に物質を送達する方法。
【請求項１０７】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項９２に記載の患者の鼻腔に物質を送達する方法。
【請求項１０８】
前記物質を選択する工程をさらに備え、前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ（Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス（Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項９２に記載の患者の鼻腔に物質を送達する方法。
【請求項１０９】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項９２に記載の患者の鼻腔に物質を送達する方法。
【請求項１１０】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項９２に記載の患者の鼻腔に物質を送達する方法。
【請求項１１１】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項９２に記載の患者の鼻腔に物質を送達する方法。
【請求項１１２】
天然油：ミント油、ペパーミント油、スペアミント油、メントール、オリーブ油、ユーカリ油、及びアミノ酸、脂肪酸及び又はこれらのいかなる組み合わせからなる群から前記物質を選択する工程をさらに備えることを特徴とする請求項９２に記載の患者の鼻腔に物質を送達する方法。
【考案の詳細な説明】
【技術分野】
【０００１】
本考案は、一般に経鼻物質投与装置に関するものであり、より詳しくは、さまざまな異なる方法で、対象者の鼻腔に物質を送達するための飲用／空気吸入作動装置に関する。
【背景技術】
【０００２】
物質（例えば、薬剤やワクチン等）の経鼻送達は、鼻道自体の病気又は疾患の治療及び全身経路を通じた他の疾患又は病気の治療（例えば、ワクチンや神経など）の両方にとって有用である。物質の経鼻送達の有効性としては、他に以下のようなものがある。：
（ａ）血流への直接の経路である豊富な血管網を有する。（ｂ）消化管で認められる薬物分解がないため、胃腸障害を回避することができる。（ｃ）肝臓の初回通過代謝（肝臓の酵素による薬の不活性化）がない。（ｄ）吸収速度及び血漿濃度が、静脈内投与と同等である、（ｅ）容易、便利であり、安全である。（ｆ）治療的な脳および脊髄（ＣＮＳ）の薬物濃度を迅速に得られる。（ｇ）薬物吸収が早いため、薬の効き目を早くすることができる。（ｈ）吸収促進剤又は他の手段により、大きな薬剤分子の生体利用効率を改良することができる。（ｉ）小さな薬剤分子の経鼻生体利用効率は良好である。（ｊ）経鼻薬物送達によって、経口吸収されない薬を、体循環に送達することができる。（ｋ）公表された情報に基づけば、特にタンパク質及びペプチド薬物について、経鼻経路は、非経口経路の代わりになるものとして示された。（ｌ）特に長期間に亘る治療において、非経口治療と比べると、患者にとって便利である。
【０００３】
一方では、物質の経鼻送達の制約は、以下の通りである：
（ａ）経鼻薬物送達システムで使用される吸収促進剤の組織学的毒性が、まだ明確になっていない。（ｂ）経口送達システムと比べると、鼻刺激の可能性があるため、比較的患者にとって不便である。（ｃ）鼻腔の吸収面積は、消化管ＧＩＴの吸収面積と比べると少ない。
【０００４】
鼻腔内投与による治療は、多くの国々で認められてきた治療形態である。近年、多くの薬剤が、経口投与よりも、経鼻投与によって、より良好な全身性生体利用効率を得られることが示された。生命工学の進歩は、様々な疾患の治療のための多数のタンパク質及びペプチド薬剤を作り出した。これらの薬は、消化管で著しく分解されるか、肝臓の初回通過効果によって大幅に代謝されるので、経口投与には向いていない。さらに、非経口経路は、長期間の治療には不都合である。試験された多くの代替経路のうち、鼻腔内薬物送達が、この種の薬剤の投与のために非常に有望であることがわかる。
【０００５】
鼻腔に物質を供給するように構成された多くの従来の装置がある。これらの装置には、例えば、注入された点鼻薬、スプレーポンプ装置、及び、フッ化高圧ガスの定量吸入器（ＭＤＩ）が含まれる。これらの従来の装置は、望ましくない肺吸収を軽減するのに役立つ一方、効果を発揮させるのに必要な粒径を得ることが一般的に可能でなかった。例えば、点眼剤型の装置及び単純なスプレー装置は、いずれも、たいてい鼻腔の中に連続して薬剤を投与する。その結果、薬剤の多くは単に患者の鼻から流れ出てしまい、鼻上皮に到達した薬剤よりも少ない微量の薬剤のみが吸収される。
【０００６】
近年、いくつかの企業が、対象者が口を通じて空気を肺から吐き出すときに作動する新たな薬物送達装置を開発した。空気を吐き出す結果、軟口蓋は閉止され、それによって、鼻道は肺系統から分離されるように作動する。よって、軟口蓋は、肺と鼻腔の間の空気の流れを阻む自然の逆止め弁として作用する。このように、これらの空気吐き出しに基づく装置では、物質が鼻腔に噴霧されている間、患者が経口的に息を吐き出している場合には、経鼻物質送達が向上され得ると考えられる。特許文献１には、この現象を利用する経鼻投与装置が示されている。この特許出願は、物質を対象者の鼻気道（特に鼻気道の後方領域）に送達するための投与装置を開示している。この送達装置は、対象者の口咽頭軟口蓋を閉じる閉止ユニットと、気流を対象者のもう一方の鼻孔外の鼻中隔後部縁周りに流す駆動圧で対象者の片方の鼻孔に物質含有気流を送達する送達ユニットとを備え、この送達ユニットは片方の鼻孔への送達時に気流が通るための出口を有するノーズピースと、その鼻孔を通った気流が漏れるのを防ぐために用いられる片方の鼻孔から出口までを密封する密封部材とを備えている。
【先行技術文献】
【特許文献】
【０００７】
【特許文献１】米国特許第６７１５４８５号明細書
【考案の概要】
【考案が解決しようとする課題】
【０００８】
本考案は、鼻への物質の送達工程において、軟口蓋が閉止する通常の嚥下機構を利用している。この機構において、呼吸器系からの鼻道の分離は、空気の吐き出し（公知の経鼻送達装置に基づく）の場合より良好である。さらに、本考案は、肺路および肺への侵入を阻んでいる間、物質の所望の量を鼻上皮に送達することが可能である。この物質送達装置は、以下の重要な要件を満たさなければならない：ａ．投与する物質の用量が正確である必要がある。ｂ．鼻管によく浸透すること。ｃ．無痛であること。ｄ．胃への蓄積が最小であること。ｅ．肺への蓄積が最小であること。ｆ．容易に使用できること。ｇ．改良された患者コンプライアンスを有すること。ｈ．薬剤の味を除くこと。ｉ．さまざまな薬剤およびワクチンのための適切なプラットフォームであること。ｊ．そして、対象者から独立した作動であること。本考案は、これらすべての要件を満たすことを目的とする。
【課題を解決するための手段】
【０００９】
本考案の１つの態様として、物質を対象者の鼻腔に送達するように構成された空気吸入作動装置であって、前記装置は：
ａ．前記物質を収容するための容器と、
ｂ．前記対象者の鼻に近接して配置するための前記装置から伸長するノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記バルブが前記容器から前記鼻腔に前記物質の所定量の送達を防ぐ非アクティブ構造との少なくとも２つの構造によって構成される前記バルブと、
ｄ．前記対象者の口に配置するための前記装置から伸長するマウスピースと、
ｅ．前記バルブを、前記アクティブ構造から前記非アクティブ構造へ、及びその逆も同様に変更するように構成された作動機構と、を備え、
前記作動機構は、前記対象者が前記マウスピースを通じて空気を吸入することによって作動され、
さらに、前記作動機構は、前記対象者の空気の吸入に応じた所定の期間、前記バルブを前記非アクティブ構造から前記アクティブ構造に変更するように構成されている空気吸入作動装置が開示される。
【００１０】
本考案の他の態様として、前記作動機構は、前記対象者が前記吸入をやめたときに、前記バルブを前記アクティブ構造から前記非アクティブ構造に変更するように構成されている上述の空気吸入作動装置が開示される。
【００１１】
本考案の他の態様として、前記作動機構には、前記バルブと機械的に連通し、前記対象者が空気を吸入するときに前記膜はその初期位置から移動されて前記バルブが開かれるような可撓性膜が備えられている上述の空気吸入作動装置が開示される。
【００１２】
本考案の他の態様として、前記物質の所定量で満たされるように構成された中間コンパートメントをさらに備え、前記対象者に対する前記物質の送達が前記中間コンパートメント由来である上述の空気吸入作動装置が開示される。
【００１３】
本考案の他の態様として、前記作動機構の動作は、前記対象者による空気の前記吸入と同期して行われる上述の空気吸入作動装置が開示される。
【００１４】
本考案の他の態様として、前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されている上述の空気吸入作動装置が開示される。
【００１５】
本考案の他の態様として、前記各パルスで、前記物質の前記所定量の少なくとも２用量が放出される上述の空気吸入作動装置が開示される。
【００１６】
本考案の他の態様として、前記ノーズピースは、スプレーノズルによって、前記バルブと流体で連通している上述の空気吸入作動装置が開示される。
【００１７】
本考案の他の態様として、前記スプレーノズルは、前記所定の期間に影響を及ぼす直径に構成されている上述の空気吸入作動装置が開示される。
【００１８】
本考案の他の態様として、殺菌／滅菌のために、前記装置の部品の少なくとも一部を覆うように構成された蓋をさらに備える上述の空気吸入作動装置が開示される。
【００１９】
本考案の他の態様として、前記蓋には、孔部が備えられている上述の空気吸入作動装置が開示される。
【００２０】
本考案の他の態様として、前記容器は外部容器に接続しており、該外部容器は、前記容器を前記物質で満たすように構成されている上述の空気吸入作動装置が開示されている。
【００２１】
本考案の他の態様として、前記外部容器は、前記容器を前記物質の所定の投与量で満たすように構成されている上述の空気吸入作動装置が開示されている。
【００２２】
本考案の他の態様として、前記容器内の前記物質の量を表示するように構成された表示手段をさらに備える上述の空気吸入作動装置が開示されている。
【００２３】
本考案の他の態様として、前記表示手段は、前記容器の側面に配置された透明な窓である上述の空気吸入作動装置が開示されている。
【００２４】  本考案の他の態様として、上述した空気吸入作動装置において、物質が、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤である空気吸入作動装置が提供される。【００２５】
本考案の他の態様として、この物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラ��トバチルス・ハッメシイ（Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラク���バチルス・サツメンシス（Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、この物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択された少なくとも１つの治療のために使用される上述の空気吸入作動装置が提供される。
【００２６】
本考案の他の態様として、上述した空気吸入作動装置において、この物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用される空気吸入作動装置が提供される。
【００２７】
本考案の他の態様として、上述した空気吸入作動装置において、この物質が、サイトカイン類、ホルモン、凝固因子、ワクチン、モノクローナル抗体のようなペプチド又はタンパク質の治療剤である空気吸入作動装置が提供される。
【００２８】
本考案の他の態様として、中枢神経疾患、脳障害：脳癌、急性脳損傷、脊髄損傷、アルツハイマー病、神経新生、パーキンソン病、うつ病といったもの、統合失調症：ニュートロフィン、ＢＤＮＦ、抗ＥＧＦ受容体ＡＢ、リソソーム酵素のような酵素、ニューレグリン等のような物質の送達によるものの治療のために用いられる上述した空気吸入作動装置が提供される。
【００２９】
本考案の他の態様として、上述した空気吸入作動装置において、この物質が、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、又はこれらのいかなる組み合わせからなる群から選択される治療剤である空気吸入作動装置が提供される。
【００３０】
本考案の他の態様として、この物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で鼻腔に送達される上述の空気吸入作動装置が提供される。
【００３１】
本考案の他の態様として、この物質が、天然油：ミント油、ペパーミント油、スペアミント油、メントール、オリーブ油、ユーカリ油、及びアミノ酸、脂肪酸及び又はこれらのいかなる組み合わせからなる群から選択される上述の空気吸入作動装置が提供される。
【００３２】
本考案に関連する態様である、対象者の鼻腔に物質を送達する方法は、
ａ．対象者の鼻腔に物質を送達するための空気吸入作動装置を準備する工程であって、前記装置は、（ｉ）前記物質を収容するための容器と、（ｉｉ）前記対象者の鼻に近接して配置するための前記装置から伸長するノーズピースであって、前記容器と流体で連通されている前記ノーズピースと、（ｉｉｉ）前記容器に機械的に接続可能なバルブであって、（ｉ）前記バルブが前記容器から前記ノーズピースを介して前記鼻腔への前記物質の所定量の送達を可能にするアクティブ構造と、（ｉｉ）前記バルブが前記容器から前記鼻腔への前記薬剤の所定量の送達を妨げる非アクティブ構造との少なくとも２つの構造によって構成される前記バルブと、（ｉｖ）前記対象者の口に配置するための前記装置から伸長するマウスピースと、（ｖ）前記バルブを、前記アクティブ構造から前記非アクティブ構造へ、及びその逆も同様に変更するように構成された作動機構と、を備え、前記作動機構は、前記マウスピースを通じた対象者の空気吸入によって作動し、さらに、前記作動機構は、前記対象者の空気吸入に応じた所定の期間、前記バルブを前記非アクティブ構造から前記アクティブ構造に変更するように構成され、
ｂ．前記ノーズピースを前記対象者の鼻の中あるいは周りに取り付ける工程と、
ｃ．前記マウスピースを前記対象者の口の中に入れて取り付ける工程と、
ｄ．空気を吸入し、それに応じた所定の期間、前記バルブを前記非アクティブ構造から前記アクティブ構造に変更する工程と、
ｅ．前記容器から前記ノーズピースへ前記物質の所定量を放出する工程と、を備えている。
【００３３】
本考案に関連する態様として、上述した方法において、前記対象者が前記吸入を止めたときに、前記バルブは、前記作動機構を介して前記アクティブ構造から前記非アクティブ構造に変更する工程をさらに備えている方法が提供される。
【００３４】
本考案に関連する態様として、上述した方法において、前記作動機構に可撓性膜を設ける工程をさらに備え、前記可撓性膜は前記バルブと機械的に連通し、前記対象者が空気を吸入するときに前記膜はその初期位置から移動されて前記バルブが開かれる方法が提供される。
【００３５】
本考案に関連する態様として、上述した方法において、前記装置に前記物質の所定量で満たされるように構成された中間コンパートメントを設ける工程をさらに備え、前記対象者に対する前記物質の送達が前記中間コンパートメント由来である方法が提供される。
【００３６】
本考案に関連する態様として、上述した方法において、前記作動機構の動作は、前記対象者による前記流体の前記飲用と同期して行われる工程をさらに備えている方法が提供される。
【００３７】
本考案に関連する態様として、上述した方法において、前記作動機構に、一連のパルスで前記バルブを前記非アクティブ構造から前記アクティブ構造へ、及びその逆に変更するように構成されたパルス機構を設ける工程をさらに備え、各パルスは所定の長さによって構成されており、前記バルブは前記一連のパルスによって前記物質の前記所定量を放出するように構成されている方法が提供される。
【００３８】
本考案に関連する態様として、上述した方法において、前記各パルスで、前記物質の前記所定量の少なくとも２用量を放出する工程をさらに備えている方法が提供される。
【００３９】
本考案に関連する態様として、上述した方法において、前記ノーズピースは、スプレーノズルによって、前記バルブと流体で連通している方法が提供される。
【００４０】
本考案に関連する態様として、上述した方法において、前記スプレーノズルは、前記所定の期間に影響を及ぼす直径に構成されている方法が提供される。
【００４１】
本考案に関連する態様として、上述した方法において、殺菌／滅菌処理のために、前記装置の部品の少なくとも一部を覆うように構成された蓋を前記装置に設ける工程をさらに備えている方法が提供される。
【００４２】
本考案に関連する態様として、上述した方法において、前記蓋には、孔部が備えられている方法が提供される。
【００４３】
本考案に関連する態様として、上述した方法において、前記容器は外部容器に接続しており、該外部容器は、前記容器を前記物質で満たすように構成されている方法が提供される。
【００４４】
本考案に関連する態様として、上述した方法において、前記外部容器によって、前記容器を前記物質の所定の投与量で満たす工程をさらに備えている方法が提供される。
【００４５】
本考案に関連する態様として、上述した方法において、前記容器内の前記物質の量を表示するように構成された表示手段を、前記容器に設ける工程をさらに備えている方法が提供される。
【００４６】
本考案に関連する態様として、上述した方法において、前記表示手段は、前記容器の側面に配置された透明な窓である方法が提供される。
【００４７】  本考案に関連する態様として、上述した方法において、物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤である方法が提供される。【００４８】
本考案に関連する態様として、上述した方法において、物質を選択する工程をさらに備え、この物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ（Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチ���ス・サンフランシスセンシス（Lactobacillus sanfranciscensis）、ラクトバチルス・サツメンシス（Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用される方法が提供される。
【００４９】
本考案に関連する態様として、この物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用される上述の方法が提供される。
【００５０】
本考案に関連する態様として、この物質が、サイトカイン類、ホルモン、凝固因子、ワクチン、モノクローナル抗体のようなペプチド又はタンパク質の治療剤である上述の方法が提供される。
【００５１】
本考案に関連する態様として、中枢神経疾患、脳障害：脳癌、急性脳損傷、脊髄損傷、アルツハイマー病、神経新生、パーキンソン病、うつ病など、統合失調症：ニュートロフィン、ＢＤＮＦ、抗ＥＧＦ受容体ＡＢ、リソソーム酵素のような酵素、ニューレグリン等のような物質の送達によるものの治療のために用いられる上述した方法が提供される。
【００５２】
本考案に関連する態様として、この物質が、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、又はこれらのいかなる組み合わせからなる群から選択される治療剤である上述の方法が提供される。
【００５３】
本考案に関連する態様として、この物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で鼻腔に送達される上述の方法が提供される。
【００５４】
本考案に関連する態様として、天然油：ミント油、ペパーミント油、スペアミント油、メントール、オリーブ油、ユーカリ油、及びアミノ酸、脂肪酸及び又はこれらのいかなる組み合わせからなる群からこの物質を選択する工程をさらに備えている上述の方法が提供される。
【図面の簡単な説明】
【００５５】
本考案をより理解し、実施できることを示すために、一例として添付の図面が参照される。全体にわたり、同様の数字で対応する要素又は断面が指定されている。添付の図面には、以下が示されている。
【００５６】
【図１】Ｊ．スミス等の研究論文による、飲用している間の呼吸パターンの図である。
【図２】ａ〜ｃは、Ｊ．スミス等の研究論文による、嚥下及び呼吸パターンを示す図である。
【図３】ａ〜ｆは、嚥下反射の運動事象の概略図である。
【図４】ａ〜ｈは、本考案の飲用作動物質送達装置の機構及び対象者の嚥下機構の概略図である。
【図５】本考案の一実施態様による飲用作動物質送達装置の概略図である。
【図６】本考案の他の実施態様による飲用作動物質送達装置の横断面の概略図である。
【図７】本考案の他の実施態様による飲用作動物質送達装置の横断面の概略図である。
【図８】本考案の他の実施態様による飲用作動物質送達装置の側面の概略図である。
【図９】本考案の一実施態様による制御部材の側面の概略図である。
【図１０】本考案の他の実施態様による飲用作動物質送達装置の具体的な構成要素の概略図である。
【図１１】本考案の他の実施態様による飲用作動物質送達装置の概略図である。
【図１２】吸入作動装置５００が示された本考案の他の実施態様を示す図である。
【図１３】着想の背景にある基本的概念を示す図である。
【図１４】着想の背景にある基本的概念を示す図である。
【図１５】吸入作動置５００の第１の具体的な機構を示す図である。
【図１６】吸入作動置５００の第１の具体的な機構を示す図である。
【図１７】吸入作動置５００の第１の具体的な機構を示す図である。
【図１８】ａ〜ｂは、吸入作動置５００の第１の具体的な機構を示す図であり、装置５００の作動ステップの拡大図である。
【図１９】ａ〜ｂは、吸入作動置５００の第１の具体的な機構を示す図であり、装置５００の作動ステップの拡大図である。
【図２０】本考案の第２の実施態様６００を示す。
【図２１】本考案の第２の実施態様６００を示す。
【図２２】本考案の第２の実施態様６００を示す。
【図２３】本考案の第２の実施態様６００を示す。
【図２４】本考案の第２の実施態様６００を示す。
【図２５】本考案の第２の実施態様６００を示す。
【図２６】本考案の他の実施態様を示す図である。
【図２７】本考案の他の実施態様を示す図である。
【図２８】空気吸入に基づく第３の機構７００を示す図である。
【図２９】空気吸入に基づく第３の機構７００を示す図である。
【図３０】空気吸入に基づく第３の機構７００を示す図である。
【図３１】空気吸入に基づく第３の機構７００を示す図である。
【図３２】空気吸入に基づく第３の機構７００を示す図である。
【図３３】空気吸入に基づく第３の機構７００を示す図である。
【図３４】空気吸入に基づく第３の機構７００を示す図である。
【図３５】空気吸入に基づく第３の機構７００を示す図である。
【図３６】空気吸入に基づく第３の機構７００を示す図である。
【図３７】ａ〜ｂは、空気吸入に基づく第３の機構７００を示す図であり、薬剤５６０を入れる前又は入れた後の天面部５５０を示す図である。
【図３８】吸入作動装置８００の第４の実施態様を示す図である。
【図３９】吸入作動装置８００の第４の実施態様を示す図である。
【図４０】吸入作動装置８００の第４の実施態様を示す図である。
【００５７】
本考案を実際に実施する方法は、明細書と図面により当業者には明らかである。
【考案を実施するための形態】
【００５８】
本考案の少なくとも１つの実施態様を詳細に説明する前に、以下に記載された又は図面に図示された構造の細目及び部品の配置に本考案の適用が限定されないことを理解すべきである。本考案は、他の実施態様又はさまざまな方法での実行若しくは実施に適用可能である。さらに、本願明細書において、使用されている表現および用語は説明を目的としており、限定するものではないことを理解すべきである。本考案は、同期した薬物送達がなされると共に不快な味を取り除き、用量送達を確実にすることによって患者の服薬順守を改善する鼻腔内への物質送達プラットフォームを開示する。
【００５９】
「物質」という用語は、以下、医療行為及び累次の目的で対象者の鼻腔に送達するために用いられることができるいかなる材料のことをいう。本考案の種々の実施態様によれば、物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料又は溶液の形態で鼻腔に送達され得る。
【００６０】
「圧力勾配」という用語は、以下、特定の位置周辺で圧力が最も急速に変化する方向及び／又はその変化量を示す物理量のことをいう。
【００６１】
「吸引」という用語は、以下、部分的真空または低圧の領域への流体（例えば、空気、液体）の流れのことをいう。この領域と環境圧力との間の圧力勾配は、低圧域の方へ物質を進ませる。
【００６２】
本考案の「飲用」という用語は、人間又は動物体において、喉頭蓋及び軟口蓋を閉鎖した状態で口から咽頭を経て食道へ何かを通過させる、嚥下（飲み込む）という生理的過程に関係している。本考案によれば、飲用は小管を通じた流体の吸引を伴う。
【００６３】
「鼻道」という用語は、以下、対象者の鼻の鼻道のことをいう。
【００６４】
「放出」という用語は、以下、一例として、スプレー、散布、撒布、分散等の手段で、物質を取り出すことをいう。
【００６５】
「物質の所定量」という用語は、装置により制御される物質の特定の用量である。
【００６６】
「協調」という用語は、吸引が妨げられる咀嚼、嚥下及び呼吸の同期指令である。
【００６７】
Ｊ．スミス等（成人における摂食、飲用及び呼吸の協調、ジョン・スミス等、Chest、1989、96:33、578-582）の研究によれば、嚥下（飲み込むこと）は、ほとんど呼息で生じることが示された（研究において、２７１名の患者がテストされ、わずか２名のみが吸息で生じた）。この生理現象は、本考案により提供される装置の特有の作動にとって、極めて重要である。
【００６８】
本考案の一実施態様によれば、物質は、対象者の鼻道へ放出され、肺領域には到達しない（吸息の間に生じ得る）。Ｊ．スミス等の研究によれば、対象者が流体を飲んでいるときには吸息が防止される、というような完全な協調が飲用と呼吸との間にはあり、それゆえ、この段階では、物質は対象者の鼻道へ安全に放出されることができる。
【００６９】
本考案は、物質を対象者の鼻腔に送達するように構成された空気吸入作動装置であって、この装置は、（ａ）前記物質を収容するための容器と、（ｂ）前記対象者の鼻に近接して配置するための前記装置から伸長するノーズピースであって、前記容器と流体で連通されている前記ノーズピースと、（ｃ）前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記バルブが前記容器から前記鼻腔に前記物質の所定量の送達を防ぐ非アクティブ構造との少なくとも２つの構造によって構成される前記バルブと、（ｄ）前記対象者の口に配置するための前記装置から伸長するマウスピースと、（ｅ）前記バルブを、前記アクティブ構造から前記非アクティブ構造へ、及びその逆も同様に変更するように構成された作動機構と、を備え、前記作動機構は、前記対象者が前記マウスピースを通じて空気を吸入することによって作動され、さらに、前記作動機構は、前記対象者の空気の吸入に応じた所定の期間、前記バルブを前記非アクティブ構造から前記アクティブ構造に変更するように構成されている空気吸入作動装置を提供する。
【００７０】
本考案は、さらに、物質を対象者の鼻腔に送達するように構成された飲用作動装置であって、この装置は、（ａ）前記物質を収容するための容器と、（ｂ）前記対象者の鼻に近接して配置するための前記装置から伸長するノーズピースであって、前記容器と流体で連通されている前記ノーズピースと、（ｃ）前記容器に機械的に接続可能なバルブであって、（ｉ）前記バルブが前記容器から前記ノーズピースを介して前記鼻腔に前記物質の所定量の送達を可能にするアクティブ構造と、（ｉｉ）非アクティブ構造との少なくとも２つの構造によって構成される前記バルブと、（ｄ）前記対象者の口に配置するための前記装置から伸長するマウスピースと、（ｅ）前記バルブを、前記アクティブ構造から前記非アクティブ構造へ、及びその逆も同様に変更するように構成された作動機構と、を備え、前記マウスピースは、流体を収容する流体タンクと細管によって流体的に連通可能であり、前記流体タンクは、前記マウスピースを介して前記対象者の口に前記流体を供給するように構成され、さらに、前記作動機構は、前記対象者が前記細管を通じて前記流体を飲用している間に、前記細管に適用される吸引により発生した圧力勾配に応じた所定の期間、前記バルブを前記非アクティブ構造から前記アクティブ構造に変更するように構成されている飲用作動装置を提供する。
【００７１】
図１はＪ．スミス等の研究論文による、飲用している間の呼吸パターンを示している。上のグラフは周期的な呼吸を示し、下のグラフは顎下ＥＭＧ（筋電図検査法）を示しており、両方とも嚥下プロセスに関連している。図中の矢印は、嚥下を示す。飲用している間（下のグラフ）、呼吸パターンには変化がみられない（上のグラフ）ことを図は示している。それゆえ、飲用中には、呼吸が行われないと結論づけることができる。
【００７２】
図２ａ〜２ｃには、Ｊ．スミス等の研究論文による、嚥下及び呼吸の異なるパターンを示す図である。ここでは、嚥下が発生している間、吸息は停止されることが示される。上のグラフは周期的な呼吸の間の体積変化を示しており、下のグラフは顎下ＥＭＧを示している。図２ａでは、嚥下は呼息の初め（吸息の終わり）に発生する。大多数の嚥下では、図２ｂに示すように、嚥下は呼息の中間で生じ、その後に吸息が続く。時には、図２ｃに示すように、嚥下は呼息を終了させるための閉止を生じさせ、たいていはその後にさらなる呼息が続いた。図２ａ〜２ｃに示される事例の各々において、嚥下が発生している間、吸息は停止されている。
【００７３】
図３ａ〜３ｆは、嚥下反射（例えば、飲用している間）の運動事象を概略的に示しており、本考案の装置はこれに基づいている。
【００７４】
前述していたように、嚥下と呼吸の重要な関係を示唆する十分な証拠がある。ほとんどの研究では、喉頭蓋および喉頭が嚥下反射の開始のために最も感受性が高い領域であることを示唆されているにもかかわらず、嚥下は上気道の多くの部位の刺激により開始され得る。図３ａは、対象者６０が食物塊６１（例えば、水、食品など）を嚥下するときの嚥下反射の開始を示している。
【００７５】
この図では、口蓋６３の前部と接触する舌６２の先端を示している。食物塊６１は、舌６２と口蓋６３の間の溝の後方に押される。その結果、鼻道６５及び呼吸器系６６が互いに隔離されるように、軟口蓋６４は上方へ引き上げられる。
【００７６】
図３ｂに参照されるように、食物塊６１が喉頭蓋谷に到達すると、舌骨及び喉頭６７は上方及び前方に移動し、喉頭蓋６８は下方へ傾き、後部咽頭壁での収縮波は下方へ移動する。図３ｃに示されるように、咽頭口蓋の筋肉の収縮と下向きの咽頭収縮波の圧力によって、軟口蓋６４は引き下げられ、舌６２の基部に近接して配置された。
【００７７】
その後、食道６９に食物塊が進入できるように輪状咽頭筋は開放され、食物塊６１の流れは喉頭部開口７０に進入するが、さらなる進入は室ひだの閉止によって妨げられる。
【００７８】
図３ｄで示されるように、収縮波は喉頭蓋谷に到達すると、食物塊６１の残りを押圧する。食物塊のほとんどは、上部括約筋を通って食道６９を通過しようとしている。図３ｅに示されるように、収縮波が咽頭を通過すると、喉頭蓋６８は舌骨として再び上に向き始め、喉頭は下がる。鼻咽頭との伝達は再構築されている。
【００７９】
図３ｆにおいては、咽頭のすべての構造は、静止位置に戻っている。
【００８０】
上述したように、本考案は図３ａ〜３ｆに示される生理学的過程を利用するものである。軟口蓋が上方へ引き上げられて閉止する際に、物質（例えば、薬、ワクチン等）は呼吸器系及び肺に送達されずに、鼻道に送達され得る。
【００８１】
図４ａ−４ｆは、本考案の飲用作動物質送達装置１０と、本考案のいくつかの実施態様による対象者９０の嚥下機構の動作を概略的に示している。
【００８２】
図４ａによれば、装置１０のノーズピース１１は対象者９０の鼻に挿入され、マウスピース１２はこの対象者の口１８に挿入される。前記実施態様によれば、装置１０を通じて対象者９０が流体５１（例えば、水、ジュース、液状医薬、冷たい流体、暖かい流体等）を飲用するように、装置１０は流体タンク５０（例えば、ボトル、缶など）と流体的に連通している。図４ａにおいては、対象者９０が呼吸できるように、対象者９０の軟口蓋２０は開放されている。図４ｂは、装置１０の動作を示している。対象者９０が流体５１を飲用し始めると嚥下反射が起動し、軟口蓋２０は閉止される。
【００８３】
対象者の喉中の流体５１の通過と同時に、所定量の物質１５が、装置１０から対象者の鼻の中の鼻道３０まで送達される。
【００８４】
図４ｃに示すように、対象者がこの流体を飲用し終えると、物質１５は鼻道３０に送達された。
【００８５】
図４ｄによれば、対象者９０によりこの流体が嚥下されると、物質１５は鼻道３０の中ですぐに拡散され、そして、軟口蓋は再び開放される。
【００８６】
図４ｅによれば、装置１０のノーズピースは対象者９０の鼻に挿入され、マウスピースは前記対象者の口に挿入される。そして、対象者９０が装置を通じて流体（例えば、水、ジュース、液状医薬、冷たい流体、暖かい流体等）を飲用可能なように、装置は流体タンク（例えば、ボトル、缶など）と流体で連通されている。図４ｅでは、対象者９０は呼吸可能なように、対象者９０の軟口蓋２０は開放されている。
【００８７】
図４ｆは、装置１０の動作を示している。対象者９０が流体５１を飲用し始めると、嚥下反射が活性化され、軟口蓋２０は閉止される。
【００８８】
図４ｇに示すように、対象者によってこの流体が飲用されると同時に、物質１５の定量が装置１０から対象者の鼻の中の鼻道３０に送達される。
【００８９】
図４ｈによれば、この流体は対象者によって嚥下され、物質１５は鼻道内の拡散プロセス下にあり、軟口蓋は再び開放される。
【００９０】
図５は、対象者の鼻腔に物質を送達するための飲用作動物質送達装置２００の一実施形態の概略図を示している。
【００９１】
この図によれば、飲用作動装置２００は、以下の主な構成要素を備えている。
ａ．前記物質（図示せず）を収容するための容器１９５。
ｂ．前記対象者の鼻に近接して配置するための飲用作動装置２００から伸長するノーズピース１９０。ノーズピース１９０は、容器１９５と流体で連通している。この物質は、ノーズピース１９０を通って対象者の鼻に投与されるように構成されている。
ｃ．容器１９５に機械的に接続可能なバルブ１４５。バルブ１４５は、少なくとも２つの構造によって構成されている：
ｉ．バルブが容器１９５からノーズピース１９０を介して対象者の鼻腔に物質の所定量の送達を可能にするアクティブ構造、及び、
ｉｉ．対象者の鼻に物質が送達されない非アクティブ構造。
ｄ．対象者の口に配置するための装置２００から伸長するマウスピース１１１。
ｅ．バルブ１４５を、アクティブ構造から非アクティブ構造へ、及びその逆も同様に、変更するように構成された作動機構１２０。
ｆ．マウスピース１１１及び流体１０７を収容する流体タンク１０５に流体的に連通可能な細管１１０。流体タンク１０５は、マウスピース１１１を介して対象者の口へ流体１０７を供給するように構成されている。
【００９２】
本考案のいくつかの実施形態によれば、作動機構１２０は、対象者が細管１１０を通じて流体１０７を吸引し飲んでいる間、（マウスピース１１１を通じて）細管１１０に適用される吸引により発生した圧力勾配に応じた所定の期間、バルブ１４５を非アクティブ構造からアクティブ構造に変更するように構成されている。
【００９３】
作動機構１２０は、圧力勾配がないときには、バルブ１４５をアクティブ構造から非アクティブ構造に変更するように構成されている。
【００９４】
いくつかの実施形態によれば、バルブ１４５は、適用される圧力勾配が所定の閾値を越えるときに、非アクティブ構造からアクティブ構造に変更可能である。
【００９５】
本考案によれば、装置２００を使用している間には、対象者が流体１０７を飲用している間に、物質が対象者の鼻に送達される。
【００９６】
流体１０７を飲用している間、嚥下反射が生じ、その結果、対象者の軟口蓋は閉鎖される。このプロセスでは、対象者の鼻腔は肺系統から実質的に分離される。その結果、鼻腔への物質の送達は安全に行われ得る。
【００９７】
いくつかの実施例によれば、ノーズピース１９０及びバルブ１４５の働きは、目標組織に対するスプレー効果を生じさせることができる従来知られているスプレー装置の働きと類似している。
【００９８】
図５に示される作動機構１２０の具体的な実施態様によれば、作動機構１２０は細管１１０に相対的に垂直に配置される制御部材１３０を備えている。
【００９９】
制御部材１３０は、３つの主要部分を有する：細管１１０内に配置されている第１端部１２６、膜１４０と接続している中間部分１２７、及び、第２端部１２８。
【０１００】
以下後述するように、第２端部１２８がバルブ１４５と連通している状態にあるときには、バルブは非アクティブ構造の状態にあり、そして、制御部材の第２端部１２８が、バルブ１４５と連通していない状態にあるときには、バルブ１４５はアクティブ構造に変更される。
【０１０１】
制御部材１３０の第１端部１２６及び細管１１０の接続は、開口部１３３を通して行われる。圧力勾配に応答して、第１端部１２６は細管１１０内を往復して移動可能であり、第２端部１２８はバルブ１４５内を相互に移動可能である。
【０１０２】
制御部材１３０は、２つの構造を有している：
ｉ．対象者に対し、細管１１０及び非アクティブ構造におけるバルブ１４５を介して、流体が供給されない閉鎖構造（図５および６に図示される）、及び、
ｉｉ．対象者が、細管１１０及びアクティブ構造におけるバルブ１４５を通じて、流体１０７を飲用する開放構造（図７に図示される）。
【０１０３】
本考案のさまざまな実施形態によれば、制御部材１３０は、細管１１０に対し、約５度〜約１７５度の間のいかなる所定の角度で配置されることができる。
【０１０４】
本考案のさまざまな実施形態および図５の実施形態によれは、作動機構１２０には、中間部分１２７において、制御部材１３０に機械的に接続された圧力応答空洞１２４が備えられている。
【０１０５】
空洞１２４は、閉鎖構造から開放構造へ、及びその逆も同様に、制御部材１３０を変更するように構成されている圧力応答空胴である。
【０１０６】
圧力勾配が適用される（すなわち、対象者が、マウスピース１１１を通じて細管１１０を吸引する）ときには、制御部材は開放構造に再構成され、圧力勾配がないときには、制御部材は閉鎖構造に再構成される。
【０１０７】
閉鎖構造において、制御部材１３０は、流体タンク１０５からマウスピース１１１への細管１１０を通じた流体１０７の通過を妨げるように構成されている。
【０１０８】
２つの構造間の制御部材１３０の再構成は、空胴１２４の主要部分である可撓性膜１４０を介して行われる。
【０１０９】
可撓性膜１４０は、中間部分１２７において制御部材１３０を取り囲むことにより、制御部材１３０に機械的に接続されている。
【０１１０】
可撓性膜１４０は、細管１１０での圧力勾配に応じてその形状（たとえば、アーチ型形状）を変化させるように構成されている。この形状変化の結果、制御部材１３０は、細管１１０の方へ引っぱられ、閉鎖構造から開放構造に再構成される。
【０１１１】
制御部材１３０は、２つの開口部を備えている。
ｉ．少なくとも細管１１０の一部を通り、空洞１２４とマウスピース１１１との間を流体的に連通させるように構成された第１開口部１３３。第１開口部１３３は制御部材１３０内で細管１１０の領域から空洞１２４の領域へ伸長可能である。第１開口部１３３は、制御部材１３０が閉鎖構造から開放構造に変更されるために、前記細管１１０から空洞１２４へ圧力勾配を「移す」ように構成されている。
ｉｉ．制御部材１３０が開放構造にあるときに、制御部材１３０を通じた流体１０７の流れを促進するように構成された第２開口部１３４。第２開口部１３４は第１開口部１３３の上部と流体連通している。開放構造の状態にある間は、第２開口部１３４内の流体１０７の流れは、流体１０７が制御部材１３０を通過するように、制御部材１３０が開放構造を維持するように構成されている
【０１１２】
図５に示す実施態様によれば、バルブ１４５は、バルブの非アクティブ構造では少なくとも部分的に緊張され、バルブのアクティブ構造では少なくとも部分的に弛緩されるばねを備えている。
【０１１３】
ばね１８０の少なくとも部分的に弛緩された位置と比べると、より多い静止エネルギーが、ばね１８０の少なくとも部分的に緊張された位置において、ばねの内部に蓄積される。
【０１１４】
この実施態様によれば、バルブ１４５は、ばね１８０が接続されているピストン１７０をさらに備えている。ピストン１７０は、ニードル１６０の方へばね１８０を介して容器１９５を押すのに適している。これの結果として、物質はノーズピース１９０を通り、患者に放出される。
【０１１５】
前記非アクティブ構造において、ピストン１７０は、容器１９５を押していない。さらにまた、前記アクティブ構造において、ばね１８０が弛緩された際に、ばねに蓄えられていた静止エネルギーは、ピストン１７０を介して容器１９５に作用する押出エネルギーに変わる。
【０１１６】
第２端部１２８が閉鎖構造から開放構造まで制御部材１３０の再構成の結果として、下がるときに、バルブの非アクティブ構造からアクティブ構造への再構成が行われる。
【０１１７】
他の実施態様によれば、バルブ１４５は、非アクティブ構造では少なくとも部分的に弛緩され、アクティブ構造では少なくとも部分的に緊張されるばねを備えることもできる。
【０１１８】
いくつかの実施態様によれば、細管１１０は、少なくとも部分的にストローである。他の実施態様によれば、本考案の装置は、流体タンクに挿入されたストローに接続されていてもよい。
【０１１９】
図５の実施態様によれば、作動機構１２０の動作は、対象者による流体１０７の飲用に合わせて行われる。
【０１２０】
いくつかの実施態様によれば、作動機構１２０は、一連のパルスで、バルブ１４５を非アクティブ構造からアクティブ構造へ、及びその逆に、変更するように構成されたパルス機構を備えており、各パルスは所定の長さによって構成されている。
【０１２１】
バルブ１４５は、一連のパルスによって、物質の所定量を放出するように構成されている。たとえば、各パルスにおいて、前記物質の前記所定量の少なくとも２用量が放出される。
【０１２２】
いくつかの実施態様によれば、ノーズピース１９０は、スプレーノズル１９１を備えることができる。さまざまな実施態様によれば、スプレーノズルは、前記所定の期間に影響を及ぼす直径によって構成されることが可能である。
【０１２３】
図６は、装置２００の長軸断面を概略的に示す図である。この図によれば、制御部材１３０が閉鎖構造をとっており、それにより、バルブ１４５は非アクティブ構造をとっている。
【０１２４】
対象者（図示せず）が細管１１０、開口１１３及びマウスピース１１１を介して流体を飲用するとき、この細管内に圧力勾配が生じる。この種の流体は、流体タンク（図示せず）内に収容されていてもよい。細管１１０の一部内に生じる圧力勾配は、また、第１開口部部１３３を通じた空胴１２４に伝えられる。
【０１２５】
次に図７について説明する。この図によれば、空胴１２４内に生じる圧力勾配の結果、可撓性膜１４０は、下側に移動している。それの結果、制御部材１３０は、凹部１３８を形成するように（前記膜１４０により）引っ張られ、このようにして閉鎖構造から開放構造に変更される。
【０１２６】
開放構造において、以下の２つの機構が生じる。
１）流体が、制御部材１３０の第１端部１２６を通じ、細管１１０内を流れること。
２）制御部材１３０及びそれによる第２端部１２８（例えば、安全装置）の動作の結果、バルブ１４５は、非アクティブ構造からアクティブ構造に変更される。それの結果、物質は、ノーズピース（図示せず）を介して、容器１９５から患者の鼻腔に送達される。
【０１２７】
いくつかの実施態様によれば、物質は所定の圧力下で容器１９５内に格納されることができる。従って、ニードル１６０が容器１９５の特定位置に接触するときに、物質が送達される（例えば、スプレーとして）。
【０１２８】
いくつかの実施態様によれば、バルブ１４５は、それをアクティブ構造に変更する１つ以上の要素から構成され得る。
【０１２９】
他の実施態様によれば、容器１９５はシリンジである。
【０１３０】
他の実施態様によれば、装置２００は、殺菌／無菌目的での、装置の少なくとも一部の要素を覆うように構成された蓋を備えている。この蓋は、孔部を備えることができる。
【０１３１】
いくつかの実施態様によれば、容器１９５は、外部容器（図示せず）に接続されるように構成されている。外部容器は、容器１９５を物質の所定の投与量で満たすように構成されている。
【０１３２】
いくつかの実施態様によれば、装置２００は、容器内の物質の量を表示するように構成された表示手段をさらに備えることができる。この表示手段は、容器の側面にある透明な窓でもよい。
【０１３３】
いくつかの実施態様によれば、流体１０７は、水、ジュース、液状医薬、冷たい流体、暖かい流体又はこれらのいかなる組み合わせからなる群から選択されることができる。
【０１３４】
次に、図８は、本考案による装置３００の具体的な実施態様を概略的に示す図である。
【０１３５】
この図によれば、装置３００はノーズピース２９０、マウスピース２１１、細管２１０、及び、作動機構２２０を備えている。
【０１３６】
この実施態様によれば、装置３００は、制御部材が閉鎖構造から開放構造に変更されるときに（バルブが非アクティブ構造からアクティブ構造に変更されるように）、制御部材（図示せず）が嵌入する凹部２３８を備えている。
【０１３７】
細管２１０の端部２１２は、流体タンク（図示せず）内に挿入されることができる。
【０１３８】
ここで、制御部材１３０の具体的な実施態様について説明する。
【０１３９】
この実施例によれば、制御部材１３０は、第１端部１２６、中間部分１２７及び第２端部１２８の３つの主な部分を有している。
【０１４０】
第１端部１２６は、細管１１０内に配置されるように構成されている。中間部分１２７は、膜１４０に接続されるように構成されている。第２端部１２８は、バルブ１４５に可逆的に接続されるように構成されている。
【０１４１】
第１端部１２６は細管１１０の範囲内を往復的に移動可能であり、第２端部１２８は、細管１１０内に形成される圧力勾配に応答するバルブ１４５に対して相互に移動可能である。
【０１４２】
図９は、第１開口部１３３及び第２開口部１３４の拡大図である。
【０１４３】
第１開口部１３３は、空胴１２４及び細管１１０の一部と通じているマウスピース１１１と流体的に連通している。
【０１４４】
第１開口部１３３は、制御部材１３０内において、細管１１０の領域から空胴１２４の領域まで延びている。第１開口部１３３は、制御部材１３０が閉鎖構造から開放構造に変更されるように、（使用者が流体を吸入／飲用した時点で）前記細管１１０から空胴１２４に圧力勾配を伝えるように構成されている。
【０１４５】
第２開口部１３４は、制御部材１３０が開放構造にある場合において、制御部材１３０を介して流体１０７の通過を容易にするように構成されている。
【０１４６】
第２開口部１３４は、第１開口部１３３の上部と流体的に連通している。制御部材１３０が開放構造にあるとき、第２開口部１３４を通じた流体１０７の通過は制御部材１３０が開放構造にある状態を保ち、維持するように構成されている。
【０１４７】
図１０は、本考案による装置の複数部品の他の実施態様を示している。この図においては、以下の構成要素：制御部材１３０、細管１１０及びマウスピース１１１が示されている。
【０１４８】
図１１は、飲用作動物質送達装置４００の他の実施態様を概略的に示す図である。
【０１４９】
飲用作動装置４００はハウジング３１０を含んでおり、装置３００から外方へ伸びるマウスピース３２０を有している。
【０１５０】
マウスピース３２０は、対象者の口の中に配置されるように構成されている。ハウジング３１０も、物質３３２（例えば、薬、ワクチン等）を収容するように構成された容器３３０を含んでいる。
【０１５１】
容器３３０は、バルブ３３５を介してノーズピース３４０と流体的に連通している。
【０１５２】
ノーズピース３４０は装置４００から伸びており、対象者の鼻の中またはその周りに配置されるように構成されている。
【０１５３】
バルブ３３５は、容器３３０からノーズピース３４０への物質３３２の通過を制御するように構成されている。バルブ３３５の作動は、非アクティブ構造からアクティブ構造へ、そして、逆もまた同様に、バルブ３３５を変換するように構成された作動機構３３７により実行される。
【０１５４】
本考案によれば、対象者が装置４００を通じて流体（例えば、ジュース、水など）を飲用している間は、装置４００は流体に基づいて作動している。
【０１５５】
流体３５５は流体タンク３５０（例えば、ボトル、缶など）からマウスピース３２０へ供給され、この流体３５５は細管３６０によって、流体タンク３５０と流体的に連通されている。
【０１５６】
対象者（例えば、ユーザ、患者など）が流体３５５を飲用している間、流体は細管３６０内を流れている。この流れは、細管内で圧力を生じさせる。
【０１５７】
この細管３６０内の圧力は、作動位置３５９における作動機構３３７を作動させ、それによって、作動した作動機構３３７が所定の期間バルブ３３５を開放する。
【０１５８】
これによって、この圧力が所定の圧力閾値より大きいときに、所定量の物質３３２が容器３３０からノーズピース３４０に放出される。
【０１５９】
圧力閾値は、作動機構３３７を起動させるために必要な最小圧力であり、その範囲は、約０．１パスカルから約３０パスカルの間である。
【０１６０】
いくつかの実施態様によれば、作動機構３３７は、対象者による流体３５５の飲用と同期している。本考案の好ましい実施態様によれば、対象者によって飲用される流体３５５は、嚥下反射を起動させ、対象者の鼻の鼻道を肺系統から実質的に隔離するように軟口蓋を特定の期間、閉止させる。この特定の期間に、物質は、装置から鼻道へ放出される。いくつかの実施態様によれば、この物質の放出は、この流体の飲用及び嚥下と同時に行われる。
【０１６１】
いくつかの実施態様によれば、作動機構３３７はバルブ３３５内に組み込まれており、流体の外圧に反応し、かつ、物質のノーズピースへの放出に反応する１つのバルブを有する。
【０１６２】
いくつかの実施態様によれば、作動機構によるバルブの作動は、少なくとも部分的にベンチュリ効果に基づいている。この効果は、囲まれた経路に沿って流れている気体のエネルギーのすべての形態の合計は、その経路（または流れ）のいかなる２点におけるエネルギと同じであるとするベルヌーイ方程式に基づいている。非圧縮性流体（密度がほとんど変化しない気体運動）の単純化仮説での式は以下の通りである。
【０１６３】
【数１】
0003193069.tif 000003
【０１６４】
ｖは流れに沿ったガス速度であり、ｇは地球上の重力加速度であり、ｈは高さであり、ｐは流れに沿った圧力であり、ｒはガス密度である。ベルヌーイの定理により、滑らかな変動狭窄部を通る気体の流れは、速度及び圧力の変化に依存する。ベンチュリは、円錐形状管を狭窄させることによって、気体の流れを促進するシステムである。その条件において、流体はその速度を増大させ、その圧力は低減し、真空が生じるはずである。気体がその狭窄部を通りすぎると、その圧力はその環境又はパイプ高さに戻って増加する。
【０１６５】
また、バルブ３３５の開口は、放出された物質の量及び、対象者が流体を飲用することによる吸気圧によって影響される。ベンチュリ効果によれば、物質の量及び吸気圧、又はそれらの少なくとも一部は前述の所定の圧力閾値を形成する。
【０１６６】
バルブ３３５をアクティブ構造に変更するために、細管３６０内の圧力はこの圧力閾値よりも大きくなければならない。それによって作動機構３３７は作動し、バルブ３３５は所定の期間作動される。
【０１６７】
本考案の装置の飲用作動機構は、鼻の中への物質の放出と、対象者によって同時に飲用される流体による「のど洗い」効果との組み合わせによって、対象者の鼻へ放出される物質の不快な香りを除去する能力を有する。本考案のいくつかの実施態様によれば、細管３６０は、少なくとも部分的にストローであることができる。
【０１６８】
本考案の好ましい実施態様によれば、細管３６０は、外部のストロー３６２に流体的に連通している。いくつかの実施態様によれば、ストロー３６２は、流体タンク３５０に挿入可能である。
【０１６９】
本考案のいくつかの実施態様によれば、装置４００の容器３３０は、物質３３２を容器３３０内に圧縮するように構成されたピストン１３１を備えることができる。この種の圧縮は、容器３３０内で圧力を生じさせ、この物質３３２を前方へ押し出す。本考案の好ましい実施態様において、ピストン３３１は、容器１３０の背面側に位置している。
【０１７０】
いくつかの実施態様によれば、対象者がその流体を飲用している間、作動機構３３７が細管３６０内での流体３５５の圧力に応答して作動するとき、作動機構３３７は容器３３０内で相互にピストン３３１を動かすように構成されている。
【０１７１】
本考案のいくつかの実施態様によれば、作動機構３３７は、所定の一連のパルスでバルブ３３５を作動させるように構成されているパルス機構を備えている。
【０１７２】
一連のパルスによれば、各パルスは、バルブによって所定量の物質が放出されるパルスの（時間内の）所定の長さによって構成されている。
【０１７３】
例えば、作動機構を総計４秒間作動させるように、対象者は流体を飲用する。
【０１７４】
この場合、物質の２用量が、鼻の中にスプレーされ、第１投与は、最初の１秒目と２秒目との間に行われ、第２投与は、３秒目と４秒目との間に行われ得る。
【０１７５】
いくつかの実施態様によれば、ノーズピース３４０は、スプレーノズルによって、バルブ３３５と流体的に連通している。この場合、スプレーノズルは、鼻の中にスプレーすることによって物質を放出することができる従来技術で公知のものが適用され得る。これらの実施態様によれば、スプレーノズルは、鼻に物質を放出する所定期間に影響を与える、その直径によって、特徴づけられるかもしれない。いくつかの実施態様によれば、容器３３０は、シリンジである。
【０１７６】
いくつかの実施態様によれば、手段４００は、殺菌／無菌のために、装置の少なくとも一部の構成要素を覆うように構成されている蓋を備えることも可能である。例えば、ノーズピース、及び／またはマウスピースを覆う蓋である。この蓋は、孔部を備えることも可能である。
【０１７７】
本考案の一実施態様によれば、装置４００は、単一の使用（すなわち、使い捨ての装置）として利用される。本考案の他の実施態様によれば、装置４００は、複数回の使用のために利用される。
【０１７８】
本考案の好ましい実施例によれば、図１１で示すように、装置４００は、外部容器３９０に機械的に接続されることも可能である（例えば、穿孔手段により）。外部容器３９０は、物質３３２を容器３３０に満たすように構成されている。
【０１７９】
いくつかの実施態様によれば、外部容器３９０は、容器３３０を前記物質の所定量及び特定の特定の用量で満たすように構成されており、たとえば、対象者が物質を押圧したとき外部容器の一部が放出される。
【０１８０】
他の実施態様によれば、物質３３２は、容器３３０にあらかじめ入っている。
【０１８１】
いくつかの実施態様によれば、装置４００は、容器内の物質の量を表示するように構成された表示手段を備えることもできる。
【０１８２】
いくつかの実施態様によれば、表示手段は、容器の側面に配置された透明な窓である。
【０１８３】  いくつかの実施態様によれば、本考案の装置で使用される物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤でもよい。
【０１８４】
いくつかの実施態様によれば、本考案の装置で使用される物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ（Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス（Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンでもよく、この物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択された少なくとも１つの治療のために使用される。
【０１８５】
いくつかの実施態様によれば、本考案の装置で使用される物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用される。
【０１８６】
いくつかの実施態様によれば、この物質は、サイトカイン類、ホルモン、凝固因子、ワクチン、モノクローナル抗体のようなペプチド又はタンパク質の治療剤である。
【０１８７】
いくつかの実施態様によれば、この装置は、中枢神経疾患、脳障害：脳癌、急性脳損傷、脊髄損傷、アルツハイマー病、神経新生、パーキンソン病又はうつ病といったもの、及び統合失調症：ニュートロフィン、ＢＤＮＦ、抗ＥＧＦ受容体ＡＢ、リソソーム酵素のような酵素、又はニューレグリン等のような物質の送達によるもの、の治療のために用いられる。
【０１８８】
いくつかの実施態様によれば、本考案の装置で使用される物質は、天然油：ミント油、ペパーミント油、スペアミント油、メントール、オリーブ油、ユーカリ油、及びアミノ酸、脂肪酸及び又はこれらのいかなる組み合わせからなる群から選択される。
【０１８９】
いくつかの実施態様によれば、本考案の装置で使用される物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、又はこれらのいかなる組み合わせからなる群から選択される治療剤であってもよい。
【０１９０】
上記したように、鼻および鼻上皮を経て物質を投与するときには、粒子又は液滴の大きさが吸収に重要な影響を及ぼす。本考案の他の実施態様によれば、粒子又は液滴の大きさはマイクロ又はナノのサイズである。
【０１９１】
上記の開示は、液体（例えば、水、ジュース等）の使用者の吸引（及び飲用）に基づいている。
【０１９２】
本考案の他の実施態様によれば、機構（メカニズム）は、使用者の空気の吸入（流体を飲用する代わりに）に基づいている。図１２は、この原理を示している。
【０１９３】
図１２は、対象者の鼻腔５０１に物質を送達するための吸入作動装置５００を示している。主に、装置は、マウスピース５０２（これを通じて患者が吸入し、それによって、この機構が作動される）、前記患者に送達される薬剤を収容する容器５０３、及び患者の鼻腔に薬剤を投与するように構成されているノーズピース５０４を備えている。
【０１９４】
図１３〜図１４は、この着想の背景にある基本的概念を概略的に示している。図１３は、吸入作動装置５００の患者の口内に配置されたマウスピース５０２と、患者の鼻内に配置されたノーズピース５０４を示している。
【０１９５】
図１４は、起動した時点の吸入作動装置５００を示している。すなわち、患者は空気を吸入（または吸引）している。以下後述するように、一旦患者が空気５０５を吸入すると、吸入作動装置５００が作動し、薬剤５０６が患者の鼻５０１に放出される。
【０１９６】
図１５〜１９ｂには、上述した吸入作動装置５００の第１の具体的な機構が示されている。
【０１９７】
図１５は、この同様（すなわち、空気吸入）の起動前の吸入作動装置５００を示している。
【０１９８】
図１５に示されるように、装置は、ノーズピース５０４（患者の鼻腔内に配置される）、マウスピース５０２（患者の口内に配置される）及び、患者の鼻腔に送達される薬剤５０６を収容するための容器５０３を備えている。その作動機構（装置を作動させて、薬剤を患者の鼻腔に送達するための）には、第１の一方向性バルブ５０７、膜５０８、中間コンパートメント５１１（患者の鼻に送達される薬剤の一定の量を収容するための）、少なくとも１つのばね５０９、及び第２のバルブ手段５１０を備えている。
【０１９９】
装置５００の作動の前に、一方向性バルブ５０７は薬剤５０６の一定の量で中間部分５１１を満たすことが可能である。（以下後述するように、これは前記薬剤が鼻腔に放出された後、この中間コンパートメント５１１中に真空が形成され、一方向性バルブ５０７を通じてこの薬剤が引き込まれる、という事実により可能となる）。
【０２００】
図１６ａは、患者の鼻及び口の中に配置されている装置５００を示している。図１６ｂは、装置５００の起動（すなわち、マウスピース５０２による空気吸引）を示している。
【０２０１】
図１７〜１９ｂは、作動機構を示している。いったん、患者が空気を吸入すると（マウスピース５０２を介して）、膜５０８は、下方へ（容器５０３の方向へ）引き下げられる。膜５０８は、膜５０８が下方へ引っ張られる際に、ばね５０９が荷重されて圧縮されるように、ばね５０９と連通している。
【０２０２】
ばね５０９は、ばね５０９が荷重されて圧縮された（膜５０８の下方への移動の結果）際に、バルブ手段５１０が開放されて、薬剤５０６が患者の鼻腔に放出されるように、バルブ手段５１０と物理的に連通している。
【０２０３】
バルブ手段５１０は、さらに、患者の起動（たとえば、空気吸引）がない状態で、中間部分５１１から鼻への薬剤の通過を封止するように構成されている封止手段５１２を備えていてもよい。
【０２０４】
一旦薬剤が鼻腔に放出されると、中間部分５１１に真空が形成され、それは最終的に一方向性バルブ５０７を通じて、容器５０３からこの薬剤の別の一定量を引き込むことを可能にする。
【０２０５】
図１８ａ〜１８ｂ及び１９ａ〜１９ｂは、装置５００の作動工程の拡大図を示している。図１８ａ〜１８ｂは作動工程前の装置５００を示しており、図１９ａ〜１９ｂは作動後の装置５００を示している。
【０２０６】
上述したように、作動前の中間部分５１１は、薬剤の一定量で満たされている。この段階において、バルブ手段５１０は閉鎖されており、封止手段５１２は患者への薬剤の放出からこの中間部分５１１を封止している。
【０２０７】
図１９ａ〜１９ｂは、作動後の装置５００を示している。上述したように、一旦患者が空気を吸入すると、膜５０８は起動されて下方へ引っ張られ、ばね５０９が荷重されて圧縮される。一旦ばね５０９が圧縮されると、バルブ５１０は開放され、薬剤は中間部分５１１から鼻腔へ放出される。
【０２０８】
図２０〜２５ｄは、上述した概念の第２の実施態様６００を示している。
【０２０９】
この実施態様によれば、吸入作動装置６００に薬剤５０６の一定量を『入れる』または『詰める』更なる工程を備えている。
【０２１０】
図２０は、吸入作動装置６００の主な構成要素を示しており、吸入作動装置６００はマウスピース５０２、ノーズピース５０４、一方向性弁５０７、薬剤５０６を収容するための容器５０３、及び装填機構５１３を備えている。
【０２１１】
図２１及び図２２ａ〜２２ｃは、装填機構５１３の拡大図を示している。図２２ａ〜２２ｂに示されるように、装填機構５１３は、回転ノブ５１４、第１のアクチュエータ５１５、及び第１のアクチュエータに相補的な第２のアクチュエータ５１６を備えている。
【０２１２】
ユーザが装置６００に装填したいときには、ノブ５１４（図２１を参照）を回転させる。この回転ノブは、第１のアクチュエータ５１５と連通する螺旋昇降手段５１８を備えている。回転ノブ５１４の回転は螺旋昇降手段５１８を回転させ、最終的には、第１のアクチュエータ５１５を上昇させ、相補する第２のアクチュエータ５１６に押し込む。
【０２１３】
第１のアクチュエータ５１５は少なくとも２つの羽５１５ａ及び５１５ｂを有し、その各々は突起（すなわち、隆起）５１５ｃ及び５１５ｄをそれぞれ備えている。
【０２１４】
相補する第２のアクチュエータ５１６は、この突起５１５ｃ及び５１５ｄを収容するように構成された２本の溝５１６ａ及び５１６ｂを備えている。
【０２１５】
この相補する第２のアクチュエータ５１６は、第３の相補するアクチュエータ５１７に、さらに連結する。この第３の相補型アクチュエータ５１７は、アクチュエータ５１５のように、少なくとも２つの羽５１７ａ及び５１７ｂを備え、その各々は突起（すなわち、隆起）５１７ｃ及び５１７ｄ（５１７ｄは図示せず）をそれぞれ備えている。
【０２１６】
いったん回転ノブ５１４が回転されると、第１のアクチュエータは相補する第２のアクチュエータ５１６の中に引き上げられ、第３の相補するアクチュエータ５１７の中に引き上げられる。突起５１５ｃ及び５１５ｄは、第２のアクチュエータ５１６の溝５１６ａ−５１６ｂ内に配置されている。この突起５１５ｃおよび５１５ｄは、第３の相補するアクチュエータ５１７の突起５１７ｃおよび５１７ｄによって、適切な位置に支持されている（図２２ａ〜２２ｂ参照）。
【０２１７】
このようなアクチュエータの移動により、中間部分５１１内に真空が形成される。これによって、装置６００には、患者に送達される用量が装填される（図２２ｃを参照）。
【０２１８】
図２３〜２４には、装置６００の起動が示されている（すなわち、図２４に示されるような、使用者による空気吸入）。使用者が空気を吸入すると、薬剤５０６は使用者に放出され、膜５０８は上方へ引き上げられる。この膜は、第３の相補するアクチュエータ５１７に連結している
【０２１９】
一旦、膜５０８が引き上げられると、第３の相補型アクチュエータ５１７も同様に上昇する。この上昇は、アクチュエータ５１５の羽５１５ａ及び５１６ｂを開放するように、内側に羽５１７ａ及び５１７ｂを押す。それによって、アクチュエータ５１５は元の位置（装填前の位置）に戻る。
【０２２０】
図２５ａ〜２５ｄは、アクチュエータ５１５の放出から元の位置までを拡大して示す図である。図２５ａは、アクチュエータ５１５（すなわち突起５１５ｄ）が、第３の相補するアクチュエータ５１７（すなわち、突起５１７ｄ）に連結されていることを示している。いったん膜５０８が引き上げられると（使用者が空気を吸入して）、第３の相補するアクチュエータ５１７が上昇する。このようにして、アクチュエータ５１５の突起５１５ｄが、第３の相補型アクチュエータ５１７の突起５１７ｄから開放される（図２５ｂ〜２５ｄを参照）。
【０２２１】
上述した第１の実施態様（図１２〜１９に図示される装置５００）と第２の実施態様（図２０〜２５ｄに図示される装置６００）の主な違いは、第１の実施態様の装置は、自動的に再装填される（すなわち、中間部分５１１から薬剤が放出されると、中間部分に真空が形成され、中間部分５１１に新たな薬剤の用量が引き込まれる）のに対し、第２の実施態様においては、装填が手動である（すなわち、患者が装置５００に能動的に装填する必要がある）ことである。
【０２２２】
５１７の移動及び５１５の元の位置への戻りと同時に、薬剤５０６が患者に放出されることが明らかにされるべきである。
【０２２３】
図２５ｅは、同様のことを示している。いったん、膜５０８が起動すれば、バルブ５１０は開放されて、薬剤５０６は鼻腔に放出される。
【０２２４】
図２６〜２７は、本考案の他の実施態様を示している。ここでは、両方の上述した機構が、使用者が空気を吸う（吸入する）ことによらずに作動している。図２６〜２７によれば、薬剤の投与は、膜５０８と機械的に連通するばね様表面を押圧すること（すなわち、力を加えること）によって作動され、同様に作動している。
【０２２５】
前の機構（患者による空気吸入に基づく、すなわち、主観的な特徴）と異なり、この機構はボタンの押圧（客観的な特徴）に基づいているので、この種の特徴は非常に重要である。例えば、比較的病状が悪く弱い患者は、機構を起動させるための空気の必要な量を吸入したり、薬剤の一定量を吸入するための力が十分でないかもしれないからである。この機構はそのような課題を解消する。
【０２２６】
図２８〜３７では、空気の吸入に基づく第３の機構を示している。
【０２２７】
第３の実施態様によれば、吸入作動装置７００には、マウスピース５０２、ノーズピース５０４及びヒンジ５３０の周囲を回転するアクチュエータ５３１が備えられている（図２８参照）。
【０２２８】
図２９は、この断面図を示している。図においては、ヒンジ５３０は、アクチュエータ５３１がその周りを回転し、コネクタ５３３によってばね５３２と機械的に連結されている。ばね５３２は、ケーシング５３４（以下で開示される）により格納（すなわち、荷重）されて維持される。この吸入作動装置７００には、さらに、薬剤５０６を収容するための容器（図示せず）が備えられている。
【０２２９】
図３０〜３４は、装置７００の作動を示している。
【０２３０】
図３０は、起動前の装置７００を示している。図３１は、アクチュエータ５３１がヒンジ５３０の周りを回転する起動の第一段階を示している。この回転は、ばね５３２に連動しており、ばねに荷重がかけられる（すなわち、ばねが圧縮する）。ケーシング５３６内に入れられている第２ばね５３５は、ばね５３２及びケーシング５３４の主縦軸に対して実質的に垂直な通路に沿って直線的に移動する。
【０２３１】
荷重されたばね５３２を保持するために、ばね５３２のケース５３４は、少なくとも１つの溝５３７が、ばね５３５のケーシング５３６の少なくとも一部に挿入されるように構成されている。
【０２３２】
上述したように、ばね５３２が荷重される（圧縮される）ように、ばね５３５の移動及びケーシング５３６は、ばね５３２のケーシング５３４と係合する（すなわち、溝５３７に挿入される）。
【０２３３】
図３２〜３３は、薬剤５０６が装置７００に装填される次のステップを示している。
【０２３４】
図３４は、装置７００が起動された最終ステップを示している。
【０２３５】
上述したように、使用者による空気の吸入により起動が開始される。いったん使用者が吸入すると（矢５３８を参照）、膜５０８（ばね５３５に機械的に連結している）は、ばね５３２から離れて引きこまれる。この膜の動きは、ばね５３５及びケーシング５３６（ばね５３２の溝５３７から）も引きこまれる。
【０２３６】
荷重されていないばね５３２は引き込まれ、元の位置に格納される。この引き戻しは、ピストン様運動によって構成される。すなわち、ばね５３２が格納されるときには、ばねは、「押圧」されるように容器５０３上に圧縮力を印加する。この種の押圧は、薬剤５０６を取り出し、患者に鼻腔に薬剤を送達する（矢５４０を参照）。
【０２３７】
図３５〜３６は、装置７００内に薬剤５０６を装填する工程をわかりやすく示したものである。この装填は、装置７００の天面部５５０が可逆的に連結しているという事実により可能となっている。
【０２３８】
ばね５０２が荷重された（すなわち、ケーシング５３６が、少なくとも部分的にケーシング５３４の溝５３７内にある）とき、装置７００の天面部５５０は装置７００から切り離され、薬剤５０６を入れることができる。図３６は、薬剤装填の拡大図を示している。
【０２３９】
図３７ａ〜３７ｂは、装填前及び装填後の天面部を示している。図３７ａで示すように、容器５０３（薬剤５０６を収容する）は、相補する天面部５５０（天面部が収容されるような大きさ及び形状）に挿入されている。図３７ｂは、薬剤５０６を収容する容器５０３を含む天面部５５０を示している。
【０２４０】
図３８〜４０は、吸入作動装置８００の第４の実施態様を示している。この実施態様によれば、装置８００には、鼻腔に送達するための薬剤５０６を収容する容器５０３、一方向性バルブ５６０、中間容器５１１、第２の一方向性バルブ５６１及び膜５０８が備えられている。
【０２４１】
装置８００の作動前に、中間容器５１１は、薬剤５０６の一定用量で満たされる（これは、一旦薬剤が鼻腔に放出されると、中間容器５１１内に真空が生じる。これによって、薬剤は、一方向性バルブ５６１を通じて中間容器に引き込まれる、という事実により可能となる）。
【０２４２】
一旦患者が空気を吸引すると（図３９を参照）、装置８００は作動する。図３９は、作動メカニズムを示している。
【０２４３】
一旦使用者が空気（矢印５６２を参照）を吸入すると、膜５０８は上昇する。膜５０８は、膜５０８が上昇する際にバルブ５６０も同様に上昇するように、バルブ５６０と機械的に連結している。
【０２４４】
バルブ５６０の上昇は、ピストン様の動きにより構成されている。バルブ５６０が上昇するときに、中間容器５１１内に収容されている薬剤５０６が鼻腔に放出されるようにバルブはバルブ５６１に圧力を印加する（矢５６４を参照）。
【０２４５】
本考案の中心概念には、ノーズピース５０４が片側、又は両側の鼻孔用に成形されるように設計又は構成され得ることが含まれる。
【０２４６】
前述した本考案の実施態様は、好ましい実施態様を含んでおり、図示及び説明を目的として示されている。これらは、本考案を開示された正確な形に徹底するか、制限することを意図していない。明らかな変更態様またはバリエーションが、上記の教示の観点から可能である。実施態様は、予期される特定の使用に適したさまざまな実施態様及び変更態様における本考案を当業者が利用できるように、本考案の原理及び実際の適用に最善の説明が選択され、提供された。公正に、法的に、そして、公正な権利の幅に従って解釈されるとき、この種のすべての変更態様及びバリエーションは、添付の請求の範囲により定まる本考案の範囲内にある。
【図１】
0003193069.tif 000004
【図２】
0003193069.tif 000005
【図３】
0003193069.tif 000006
【図４】
0003193069.tif 000007
【図５】
0003193069.tif 000008
【図６】
0003193069.tif 000009
【図７】
0003193069.tif 000010
【図８】
0003193069.tif 000011
【図９】
0003193069.tif 000012
【図１０】
0003193069.tif 000013
【図１１】
0003193069.tif 000014
【図１２】
0003193069.tif 000015
【図１３】
0003193069.tif 000016
【図１４】
0003193069.tif 000017
【図１５】
0003193069.tif 000018
【図１６】
0003193069.tif 000019
【図１７】
0003193069.tif 000020
【図１８】
0003193069.tif 000021
【図１９】
0003193069.tif 000022
【図２０】
0003193069.tif 000023
【図２１】
0003193069.tif 000024
【図２２】
0003193069.tif 000025
【図２３】
0003193069.tif 000026
【図２４】
0003193069.tif 000027
【図２５】
0003193069.tif 000028
【図２６】
0003193069.tif 000029
【図２７】
0003193069.tif 000030
【図２８】
0003193069.tif 000031
【図２９】
0003193069.tif 000032
【図３０】
0003193069.tif 000033
【図３１】
0003193069.tif 000034
【図３２】
0003193069.tif 000035
【図３３】
0003193069.tif 000036
【図３４】
0003193069.tif 000037
【図３５】
0003193069.tif 000038
【図３６】
0003193069.tif 000039
【図３７】
0003193069.tif 000040
【図３８】
0003193069.tif 000041
【図３９】
0003193069.tif 000042
【図４０】
0003193069.tif 000043
【手続補正書】
【提出日】平成25年4月30日(2013.4.30)
【手続補正１】
【補正対象書類名】実用新案登録請求の範囲
【補正対象項目名】全文
【補正方法】変更
【補正の内容】
【実用新案登録請求の範囲】
【請求項１】
物質を対象者の鼻腔に送達するように構成された飲用作動装置であって、前記装置は、
ａ．前記物質を収容するための容器と、
ｂ．前記対象者の鼻に近接して配置するための前記装置から伸びているノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）非アクティブ構造との少なくとも２つの構造によって構成される前記バルブと、
ｄ．前記対象者の口に配置するための前記装置から伸びているマウスピースと、
ｅ．前記バルブを、前記アクティブ構造から前記非アクティブ構造へ、及びその逆も同様に変更するように構成された作動機構と、を備え、
前記マウスピースは、流体を収容する流体タンクと細管によって流体的に連通可能であり、前記流体タンクは、前記マウスピースを介して前記対象者の口に前記流体を供給するように構成され、
さらに、前記作動機構は、前記対象者が前記細管を通じて前記流体を飲用している間に、前記細管に適用される吸引により発生した圧力勾配に応じた所定の期間、前記バルブを前記非アクティブ構造から前記アクティブ構造に変更するように構成されていることを特徴とする飲用作動装置。
【請求項２】
前記作動機構は、前記圧力勾配がないときに、前記バルブを前記アクティブ構造から前記非アクティブ構造に変更するように構成されていることを特徴とする請求項１に記載の飲用作動装置。
【請求項３】
前記作動機構は、前記圧力勾配に応答して相互に移動するように構成された制御部材を備えており、前記制御部材は、（ｉ）前記対象者に対し、前記細管及び前記非アクティブ構造における前記バルブを介して、前記流体が供給されない閉鎖構造と、（ｉｉ）前記対象者が、前記細管及び前記アクティブ構造における前記バルブを通じて、前記流体を飲用する開放構造との、少なくとも２つの構造を有することを特徴とする請求項１に記載の飲用作動装置。
【請求項４】
前記閉鎖構造における前記制御部材は、前記流体タンクから前記マウスピースへの前記流体の通過を妨げるように構成されていることを特徴とする請求項３に記載の飲用作動装置。
【請求項５】
前記作動機構は、可撓性膜をさらに備えており、前記制御部材が前記閉鎖構造から前記開放構造に変更され、及び逆も同様に変更されるように、前記可撓性膜は、前記対象者によって前記細管に適用された前記吸引により発生した前記圧力勾配に応じてその形状を変更するように構成されていることを特徴とする請求項３に記載の飲用作動装置。
【請求項６】
前記制御部材は、少なくとも部分的に前記細管内に配置されている第１端部、前記膜と機械的に接続された中間部分、及び、前記バルブと連通する第２端部の少なくとも３つの部分を有することを特徴とする請求項５に記載の飲用作動装置。
【請求項７】
前記制御部材の前記第１端部は、前記細管に対して実質的に垂直であり、かつ、前記細管内で実質的に垂直に移動可能であることを特徴とする請求項６に記載の飲用作動装置。
【請求項８】
前記制御部材の前記閉鎖構造から前記開放構造への変更において、前記第１端部は、前記細管内に及び前記細管に対して移動するように構成されていることを特徴とする請求項６に記載の飲用作動装置。
【請求項９】
前記制御部材は、前記膜及び前記マウスピースと流体的に連通する第１開口部を備え、前記制御部材が前記閉鎖構造から前記開放構造に変更されるために前記膜を変更するように、前記第１開口部は、前記細管から前記膜へ前記圧力勾配を移すように構成されていることを特徴とする請求項５に記載の飲用作動装置。
【請求項１０】
前記制御部材には、前記制御部材が前記開放構造にある際に、前記制御部材を通じた前記流体の流れを促進するように構成された第２開口部が備えられており、前記流体が前記制御部材を通過している間は、前記第２開口部内の前記流体の前記流れは、前記制御部材が前記開放構造にある状態を維持するように構成されていることを特徴とする請求項５に記載の飲用作動装置。
【請求項１１】
前記圧力勾配が所定の閾値を越えるときに、前記バルブは前記非アクティブ構造から前記アクティブ構造に変更可能であることを特徴とする請求項１に記載の飲用作動装置。
【請求項１２】
前記バルブには、前記非アクティブ構造では少なくとも部分的に緊張され、前記アクティブ構造では少なくとも部分的に弛緩されるばねを備えていることを特徴とする請求項１に記載の飲用作動装置。
【請求項１３】
前記バルブには、前記非アクティブ構造では少なくとも部分的に弛緩され、前記アクティブ構造では少なくとも部分的に緊張されるばねを備えていることを特徴とする請求項１に記載の飲用作動装置。
【請求項１４】
前記対象者による前記流体の前記飲用は、前記対象者の鼻の鼻道が肺系統から実質的に分離されるように、前記対象者の軟口蓋を閉止させるように構成されていることを特徴とする請求項１に記載の飲用作動装置。
【請求項１５】
前記細管は、少なくとも部分的にストローであることを特徴とする請求項１に記載の飲用作動装置。
【請求項１６】
前記物質を前記容器内に圧縮するように構成されたピストンをさらに備えることを特徴とする請求項１に記載の飲用作動装置。
【請求項１７】
前記バルブが前記アクティブ構造に形成される際に、前記バルブは、前記物質の方へ前記ピストンを動かすように構成されていることを特徴とする請求項１６に記載の飲用作動装置。
【請求項１８】
前記作動機構の動作は、前記対象者による前記流体の前記飲用と同期して行われることを特徴とする請求項１に記載の飲用作動装置。
【請求項１９】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項１に記載の飲用作動装置。
【請求項２０】
前記各パルスで、前記物質の前記所定量の少なくとも２用量が放出されることを特徴とする請求項１９に記載の飲用作動装置。
【請求項２１】
前記ノーズピースは、スプレーノズルによって、前記バルブと流体で連通していることを特徴とする請求項１に記載の飲用作動装置。
【請求項２２】
前記スプレーノズルは、前記所定の期間に影響を及ぼす直径に構成されていることを特徴とする請求項１に記載の飲用作動装置。
【請求項２３】
前記容器は、シリンジであることを特徴とする請求項１に記載の飲用作動装置。
【請求項２４】
殺菌のために、前記装置の部品の少なくとも一部を覆うように構成された蓋をさらに備えることを特徴とする請求項１に記載の飲用作動装置。
【請求項２５】
前記蓋には、孔部が備えられていることを特徴とする請求項２４に記載の飲用作動装置。
【請求項２６】
前記容器は外部容器に接続しており、該外部容器は、前記容器を前記物質で満たすように構成されていることを特徴とする請求項１に記載の飲用作動装置。
【請求項２７】
前記外部容器は、前記容器を前記物質の所定の投与量で満たすように構成されていることを特徴とする請求項２６に記載の飲用作動装置。
【請求項２８】
前記容器内の前記物質の量を表示するように構成された表示手段をさらに備えることを特徴とする請求項１に記載の飲用作動装置。
【請求項２９】
前記表示手段は、前記容器の側面に配置された透明な窓であることを特徴とする請求項２８に記載の飲用作動装置。
【請求項３０】
前記流体は、水、ジュース、液状医薬、冷たい流体、暖かい流体又はこれらのいかなる組み合わせからなる群から選択されることを特徴とする請求項１に記載の飲用作動装置。
【請求項３１】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項１に記載の飲用作動装置。
【請求項３２】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項１に記載の飲用作動装置。
【請求項３３】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項１に記載の飲用作動装置。
【請求項３４】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項１に記載の飲用作動装置。
【請求項３５】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項１に記載の飲用作動装置。
【請求項３６】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項１に記載の飲用作動装置。
【請求項３７】
物質を対象者の鼻腔に送達するように構成された空気吸入作動装置であって、前記装置は、
ａ．前記物質を収容するための容器と、
ｂ．前記対象者の鼻に近接して配置するための前記装置から伸長するノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記バルブが前記容器から前記鼻腔に前記物質の所定量の送達を防ぐ非アクティブ構造との少なくとも２つの構造によって構成される前記バルブと、
ｄ．前記対象者の口に配置するための前記装置から伸長するマウスピースと、
ｅ．前記バルブを、前記アクティブ構造から前記非アクティブ構造へ、及びその逆も同様に変更するように構成された作動機構と、を備え、
前記作動機構は、前記対象者が前記マウスピースを通じて空気を吸入することによって作動され、
さらに、前記作動機構は、前記対象者の空気の吸入に応じた所定の期間、前記バルブを前記非アクティブ構造から前記アクティブ構造に変更するように構成されていることを特徴とする空気吸入作動装置。
【請求項３８】
前記作動機構は、前記対象者が前記吸入をやめたときに、前記バルブを前記アクティブ構造から前記非アクティブ構造に変更するように構成されていることを特徴とする請求項３７に記載の空気吸入作動装置。
【請求項３９】
前記作動機構には、前記バルブと機械的に連通し、前記対象者が空気を吸入するときに前記膜はその初期位置から移動されて前記バルブが開かれるような可撓性膜が備えられていることを特徴とする請求項３７に記載の空気吸入作動装置。
【請求項４０】
前記物質の所定量で満たされるように構成された中間部分をさらに備え、前記対象者に対する前記物質の送達が前記中間部分由来であることを特徴とする請求項３７に記載の空気吸入作動装置。
【請求項４１】
前記作動機構の動作は、前記対象者による空気の前記吸入と同期して行われることを特徴とする請求項３７に記載の空気吸入作動装置。
【請求項４２】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項３７に記載の空気吸入作動装置。
【請求項４３】
前記各パルスで、前記物質の前記所定量の少なくとも２用量が放出されることを特徴とする請求項４２に記載の空気吸入作動装置。
【請求項４４】
前記ノーズピースは、スプレーノズルによって、前記バルブと流体で連通していることを特徴とする請求項３７に記載の空気吸入作動装置。
【請求項４５】
前記スプレーノズルは、前記所定の期間に影響を及ぼす直径に構成されていることを特徴とする請求項３７に記載の空気吸入作動装置。
【請求項４６】
殺菌のために、前記装置の部品の少なくとも一部を覆うように構成された蓋をさらに備えることを特徴とする請求項３７に記載の空気吸入作動装置。
【請求項４７】
前記蓋には、孔部が備えられていることを特徴とする請求項４６に記載の空気吸入作動装置。
【請求項４８】
前記容器は外部容器に接続しており、該外部容器は、前記容器を前記物質で満たすように構成されていることを特徴とする請求項３７に記載の空気吸入作動装置。
【請求項４９】
前記外部容器は、前記容器を前記物質の所定の投与量で満たすように構成されていることを特徴とする請求項４８に記載の空気吸入作動装置。
【請求項５０】
前記容器内の前記物質の量を表示するように構成された表示手段をさらに備えることを特徴とする請求項３７に記載の空気吸入作動装置。
【請求項５１】
前記表示手段は、前記容器の側面に配置された透明な窓であることを特徴とする請求項５０に記載の空気吸入作動装置。
【請求項５２】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、（公序良俗違反につき、不掲載）、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項３７に記載の空気吸入作動装置。
【請求項５３】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項３７に記載の空気吸入作動装置。
【請求項５４】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病のようなもの、統合失調症：ニュートロフィン、ＢＤＮＦ、抗ＥＧＦ受容体ＡＢ、リソソーム酵素のような酵素、ニューレグリンのような物質の送達によるもの、又はこれらのいかなる組み合わせからなる群から選択される少なくとも１つの治療のために使用されることを特徴とする請求項３７に記載の空気吸入作動装置。
【請求項５５】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体のようなもの又はこれらのいかなる組み合わせからなる群から選択される治療剤であることを特徴とする請求項３７に記載の空気吸入作動装置。
【請求項５６】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項３７に記載の空気吸入作動装置。
【請求項５７】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項３７に記載の空気吸入作動装置。
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
物質を対象者の鼻腔に送達するように構成された飲用作動装置であって、前記装置は、
ａ．前記物質を収容するための容器と、
ｂ．前記対象者の鼻に近接して配置するための前記装置から伸びているノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）非アクティブ構造との少なくとも２つの構造によって構成される前記バルブと、
ｄ．前記対象者の口に配置するための前記装置から伸びているマウスピースと、
ｅ．前記バルブを、前記アクティブ構造から前記非アクティブ構造へ、及びその逆も同様に変更するように構成された作動機構と、を備え、
前記マウスピースは、流体を収容する流体タンクと細管によって流体的に連通可能であり、前記流体タンクは、前記マウスピースを介して前記対象者の口に前記流体を供給するように構成され、
さらに、前記作動機構は、前記対象者が前記細管を通じて前記流体を飲用している間に、前記細管に適用される吸引により発生した圧力勾配に応じた所定の期間、前記バルブを前記非アクティブ構造から前記アクティブ構造に変更するように構成されていることを特徴とする飲用作動装置。
【請求項２】
前記作動機構は、前記圧力勾配がないときに、前記バルブを前記アクティブ構造から前記非アクティブ構造に変更するように構成されていることを特徴とする請求項１に記載の飲用作動装置。
【請求項３】
前記作動機構は、前記圧力勾配に応答して相互に移動するように構成された制御部材を備えており、前記制御部材は、（ｉ）前記対象者に対し、前記細管及び前記非アクティブ構造における前記バルブを介して、前記流体が供給されない閉鎖構造と、（ｉｉ）前記対象者が、前記細管及び前記アクティブ構造における前記バルブを通じて、前記流体を飲用する開放構造との、少なくとも２つの構造を有することを特徴とする請求項１に記載の飲用作動装置。
【請求項４】
前記閉鎖構造における前記制御部材は、前記流体タンクから前記マウスピースへの前記流体の通過を妨げるように構成されていることを特徴とする請求項３に記載の飲用作動装置。
【請求項５】
前記作動機構は、可撓性膜をさらに備えており、前記制御部材が前記閉鎖構造から前記開放構造に変更され、及び逆も同様に変更されるように、前記可撓性膜は、前記対象者によって前記細管に適用された前記吸引により発生した前記圧力勾配に応じてその形状を変更するように構成されていることを特徴とする請求項３に記載の飲用作動装置。
【請求項６】
前記制御部材は、少なくとも部分的に前記細管内に配置されている第１端部、前記膜と機械的に接続された中間部分、及び、前記バルブと連通する第２端部の少なくとも３つの部分を有することを特徴とする請求項５に記載の飲用作動装置。
【請求項７】
前記制御部材の前記第１端部は、前記細管に対して実質的に垂直であり、かつ、前記細管内で実質的に垂直に移動可能であることを特徴とする請求項６に記載の飲用作動装置。
【請求項８】
前記制御部材の前記閉鎖構造から前記開放構造への変更において、前記第１端部は、前記細管内に及び前記細管に対して移動するように構成されていることを特徴とする請求項６に記載の飲用作動装置。
【請求項９】
前記制御部材は、前記膜及び前記マウスピースと流体的に連通する第１開口部を備え、前記制御部材が前記閉鎖構造から前記開放構造に変更されるために前記膜を変更するように、前記第１開口部は、前記細管から前記膜へ前記圧力勾配を移すように構成されていることを特徴とする請求項５に記載の飲用作動装置。
【請求項１０】
前記制御部材には、前記制御部材が前記開放構造にある際に、前記制御部材を通じた前記流体の流れを促進するように構成された第２開口部が備えられており、前記流体が前記制御部材を通過している間は、前記第２開口部内の前記流体の前記流れは、前記制御部材が前記開放構造にある状態を維持するように構成されていることを特徴とする請求項５に記載の飲用作動装置。
【請求項１１】
前記圧力勾配が所定の閾値を越えるときに、前記バルブは前記非アクティブ構造から前記アクティブ構造に変更可能であることを特徴とする請求項１に記載の飲用作動装置。
【請求項１２】
前記バルブには、前記非アクティブ構造では少なくとも部分的に緊張され、前記アクティブ構造では少なくとも部分的に弛緩されるばねを備えていることを特徴とする請求項１に記載の飲用作動装置。
【請求項１３】
前記バルブには、前記非アクティブ構造では少なくとも部分的に弛緩され、前記アクティブ構造では少なくとも部分的に緊張されるばねを備えていることを特徴とする請求項１に記載の飲用作動装置。
【請求項１４】
前記対象者による前記流体の前記飲用は、前記対象者の鼻の鼻道が肺系統から実質的に分離されるように、前記対象者の軟口蓋を閉止させるように構成されていることを特徴とする請求項１に記載の飲用作動装置。
【請求項１５】
前記細管は、少なくとも部分的にストローであることを特徴とする請求項１に記載の飲用作動装置。
【請求項１６】
前記物質を前記容器内に圧縮するように構成されたピストンをさらに備えることを特徴とする請求項１に記載の飲用作動装置。
【請求項１７】
前記バルブが前記アクティブ構造に形成される際に、前記バルブは、前記物質の方へ前記ピストンを動かすように構成されていることを特徴とする請求項１６に記載の飲用作動装置。
【請求項１８】
前記作動機構の動作は、前記対象者による前記流体の前記飲用と同期して行われることを特徴とする請求項１に記載の飲用作動装置。
【請求項１９】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項１に記載の飲用作動装置。
【請求項２０】
前記各パルスで、前記物質の前記所定量の少なくとも２回分の用量が放出されることを特徴とする請求項１９に記載の飲用作動装置。
【請求項２１】
前記ノーズピースは、スプレーノズルによって、前記バルブと流体で連通していることを特徴とする請求項１に記載の飲用作動装置。
【請求項２２】
前記スプレーノズルは、前記所定の期間に影響を及ぼす直径に構成されていることを特徴とする請求項１に記載の飲用作動装置。
【請求項２３】
前記容器は、シリンジであることを特徴とする請求項１に記載の飲用作動装置。
【請求項２４】
殺菌のために、前記装置の部品の少なくとも一部を覆うように構成された蓋をさらに備えることを特徴とする請求項１に記載の飲用作動装置。
【請求項２５】
前記蓋には、孔部が備えられていることを特徴とする請求項２４に記載の飲用作動装置。
【請求項２６】
前記容器は外部容器に接続しており、該外部容器は、前記容器を前記物質で満たすように構成されていることを特徴とする請求項１に記載の飲用作動装置。
【請求項２７】
前記外部容器は、前記容器を前記物質の所定の投与量で満たすように構成されていることを特徴とする請求項２６に記載の飲用作動装置。
【請求項２８】
前記容器内の前記物質の量を表示するように構成された表示手段をさらに備えることを特徴とする請求項１に記載の飲用作動装置。
【請求項２９】
前記表示手段は、前記容器の側面に配置された透明な窓であることを特徴とする請求項２８に記載の飲用作動装置。
【請求項３０】
前記流体は、水、ジュース、液状医薬、冷たい流体、暖かい流体又はこれらのいかなる組み合わせからなる群から選択されることを特徴とする請求項１に記載の飲用作動装置。
【請求項３１】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項１に記載の吸入作動装置。
【請求項３２】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項１に記載の吸入作動装置。
【請求項３３】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病、統合失調症：ニュートロフィン、ＢＤＮＦ、抗ＥＧＦ受容体ＡＢ、リソソーム酵素、ニューレグリンの送達によるもの、又はこれらのいかなる組み合わせからなる群から選択される少なくとも１つの治療のために使用されることを特徴とする請求項１に記載の吸入作動装置。
【請求項３４】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体又はこれらのいかなる組み合わせからなる群から選択される治療剤であることを特徴とする請求項１に記載の吸入作動装置。
【請求項３５】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項１に記載の吸入作動装置。
【請求項３６】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項１に記載の吸入作動装置。
【請求項３７】
物質を対象者の鼻腔に送達するように構成された空気吸入作動装置であって、前記装置は、
ａ．前記物質を収容するための容器と、
ｂ．前記対象者の鼻に近接して配置するための前記装置から伸長するノーズピースであって、前記容器と流体で連通されている前記ノーズピースと、
ｃ．前記容器に機械的に接続可能なバルブであって、（ｉ）前記バルブが前記容器から前記ノーズピースを介して前記鼻腔に前記物質の所定量の送達を可能にするアクティブ構造と、（ｉｉ）前記バルブが前記容器から前記鼻腔に前記物質の所定量の送達を防ぐ非アクティブ構造との少なくとも２つの構造によって構成される前記バルブと、
ｄ．前記対象者の口に配置するための前記装置から伸長するマウスピースと、
ｅ．前記バルブを、前記アクティブ構造から前記非アクティブ構造へ、及びその逆も同様に変更するように構成された作動機構と、を備え、
前記作動機構は、前記対象者が前記マウスピースを通じて空気を吸入することによって作動され、
さらに、前記作動機構は、前記対象者の空気の吸入に応じた所定の期間、前記バルブを前記非アクティブ構造から前記アクティブ構造に変更するように構成されていることを特徴とする空気吸入作動装置。
【請求項３８】
前記作動機構は、前記対象者が前記吸入をやめたときに、前記バルブを前記アクティブ構造から前記非アクティブ構造に変更するように構成されていることを特徴とする請求項３７に記載の空気吸入作動装置。
【請求項３９】
前記作動機構には、前記バルブと機械的に連通し、前記対象者が空気を吸入するときに前記膜はその初期位置から移動されて前記バルブが開かれるような可撓性膜が備えられていることを特徴とする請求項３７に記載の空気吸入作動装置。
【請求項４０】
前記物質の所定量で満たされるように構成された中間部分をさらに備え、前記対象者に対する前記物質の送達が前記中間部分由来であることを特徴とする請求項３７に記載の空気吸入作動装置。
【請求項４１】
前記作動機構の動作は、前記対象者による空気の前記吸入と同期して行われることを特徴とする請求項３７に記載の空気吸入作動装置。
【請求項４２】
前記作動機構は、一連のパルスで前記バルブを、前記非アクティブ構造から前記アクティブ構造へ、及びその逆に変更するように構成されたパルス機構を備えており、各パルスは所定の長さによって構成されており、前記バルブは前記一連のパルスによって前記物質の前記所定量を放出するように構成されていることを特徴とする請求項３７に記載の空気吸入作動装置。
【請求項４３】
前記各パルスで、前記物質の前記所定量の少なくとも２回分の用量が放出されることを特徴とする請求項４２に記載の空気吸入作動装置。
【請求項４４】
前記ノーズピースは、スプレーノズルによって、前記バルブと流体で連通していることを特徴とする請求項３７に記載の空気吸入作動装置。
【請求項４５】
前記スプレーノズルは、前記所定の期間に影響を及ぼす直径に構成されていることを特徴とする請求項３７に記載の空気吸入作動装置。
【請求項４６】
殺菌のために、前記装置の部品の少なくとも一部を覆うように構成された蓋をさらに備えることを特徴とする請求項３７に記載の空気吸入作動装置。
【請求項４７】
前記蓋には、孔部が備えられていることを特徴とする請求項４６に記載の空気吸入作動装置。
【請求項４８】
前記容器は外部容器に接続しており、該外部容器は、前記容器を前記物質で満たすように構成されていることを特徴とする請求項３７に記載の空気吸入作動装置。
【請求項４９】
前記外部容器は、前記容器を前記物質の所定の投与量で満たすように構成されていることを特徴とする請求項４８に記載の空気吸入作動装置。
【請求項５０】
前記容器内の前記物質の量を表示するように構成された表示手段をさらに備えることを特徴とする請求項３７に記載の空気吸入作動装置。
【請求項５１】
前記表示手段は、前記容器の側面に配置された透明な窓であることを特徴とする請求項５０に記載の空気吸入作動装置。
【請求項５２】
前記物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤であることを特徴とする請求項３７に記載の空気吸入作動装置。
【請求項５３】
前記物質は、予防薬及び治療用抗原、タンパク質のサブユニット、ペプチド及び多糖体、多糖体接合物、トキソイド、遺伝子ワクチン、弱毒生ワクチン、リアソータントワクチン、不活化ワクチン、細胞全体、関節炎の治療のためのウイルス及び細菌ベクター、ラクトバチルス属：ラクトバチルス・アセトトレランス（Lactobacillus acetotolerans）、ラクトバチルス・アシジファリネ（Lactobacillus acidifarinae）、ラクトバチルス・アシジピシス（Lactobacillus acidipiscis）、ラクトバチルス・アシドフィルス（Lactobacillus acidophilus、デーデルライン桿菌）、ラクトバチルス・アギリス（Lactobacillus agilis）、ラクトバチルス・アルギダス（Lactobacillus algidus）、ラクトバチルス・アリメンタリウス（Lactobacillus alimentarius）、ラクトバチルス・アミロリティカス（Lactobacillus amylolyticus）、ラクトバチルス・アミロフィルス（Lactobacillus amylophilus）、ラクトバチルス・アミロトロフィカス（Lactobacillus amylotrophicus）、ラクトバチルス・アミロボラス（Lactobacillus amylovorus）、ラクトバチルス・アニマリス（Lactobacillus animalis）、ラクトバチルス・アントリ（Lactobacillus antri）、ラクトバチルス・アポデミ（Lactobacillus apodemi）、ラクトバチルス・アビアリウス（Lactobacillus aviarius）、ラクトバチルス・ビフェルメンタンス（Lactobacillus bifermentans）、ラクトバチルス・ブレビス（Lactobacillus brevis）、ラクトバチルス・ブチネリ（Lactobacillus buchneri）、ラクトバチルス・カメリエ（Lactobacillus camelliae）、ラクトバチルス・カゼイ（Lactobacillus casei）、ラクトバチルス・カテナホルミス（Lactobacillus catenaformis）、ラクトバチルス・セティ（Lactobacillus ceti）、ラクトバチルス・コレオホミニス（Lactobacillus coleohominis）、ラクトバチルス・コリノイデス（Lactobacillus collinoides）、ラクトバチルス・コムポスティ（Lactobacillus composti）、ラクトバチルス・コンカバス（Lactobacillus concavus）、ラクトバチルス・コリニホルミス（Lactobacillus coryniformis）、ラクトバチルス・クリスパトス（Lactobacillus crispatus）、ラクトバチルス・クルストラム（Lactobacillus crustorum）、ラクトバチルス・クルバトス（Lactobacillus curvatus）、ラクトバチルス・デルブリュッキイ（Lactobacillus delbrueckii）、ラクトバチルス・デルブリュッキイのブルガリクス亜種（Lactobacillus delbrueckii subsp. Bulgaricus）、ラクトバチルス・デルブリュッキイのラクティス亜種（Lactobacillus delbrueckii subsp. Lactis）、ラクトバチルス・ジオリボランス（Lactobacillus diolivorans）、ラクトバチルス・エキ（Lactobacillus equi）、ラクトバチルス・エキゲネロシ（Lactobacillus equigenerosi）、ラクトバチルス・ファラギニス（Lactobacillus farraginis）、ラクトバチルス・ファルシミニス（Lactobacillus farciminis）、ラクトバチルス・ファーメンタム（Lactobacillus fermentum）、ラクトバチルス・ホルニカリス（Lactobacillus fornicalis）、ラクトバチルス・フルクチボランス（Lactobacillus fructivorans）、ラクトバチルス・フルメンティ（Lactobacillus frumenti）、ラクトバチルス・フクエンシス（Lactobacillus fuchuensis）、ラクトバチルス・ガリナラム（Lactobacillus gallinarum）、ラクトバチルス・ガセリ（Lactobacillus gasseri）、ラクトバチルス・ガストリクス（Lactobacillus gastricus）、ラクトバチルス・ガネンシス（Lactobacillus ghanensis）、ラクトバチルス・グラミニス（Lactobacillus graminis）、ラクトバチルス・ハッメシイ��Lactobacillus hammesii）、ラクトバチルス・ハムステリ（Lactobacillus hamsteri）、ラクトバチルス・ハルビネンシス（Lactobacillus harbinensis）、ラクトバチルス・ハヤキテンシス（Lactobacillus hayakitensis）、ラクトバチルス・ヘルヴェティクス（Lactobacillus helveticus）、ラクトバチルス・ヒルガルディ（Lactobacillus hilgardii）、ラクトバチルス・ホモヒオチ（Lactobacillus homohiochii）、ラクトバチルス・イニエルス（Lactobacillus iners）、ラクトバチルス・イングルビエイ（Lactobacillus ingluviei）、ラクトバチルス・インテスティナリス（Lactobacillus intestinalis）、ラクトバチルス・ジェンセニ（Lactobacillus jensenii）、ラクトバチルス・ジョンソニ（Lactobacillus johnsonii）、ラクトバチルス・カリキセンシス（Lactobacillus kalixensis）、ラクトバチルス・ケフィラノファシエンス（Lactobacillus kefiranofaciens）、ラクトバチルス・ケフィリ（Lactobacillus kefiri）、ラクトバチルス・キムチ（Lactobacillus kimchii）、ラクトバチルス・キタサトニス（Lactobacillus kitasatonis）、ラクトバチルス・クンケイ（Lactobacillus kunkeei）、ラクトバチルス・ライヒマニ（Lactobacillus leichmannii）、ラクトバチルス・リンドネリ（Lactobacillus lindneri）、ラクトバチルス・マレフェルメンタンス（Lactobacillus malefermentans）、ラクトバチルス・マリ（Lactobacillus mali）、ラクトバチルス・マニホチボランス（Lactobacillus manihotivorans）、ラクトバチルス・ミンデンシス（Lactobacillus mindensis）、ラクトバチルス・ムコセ（Lactobacillus mucosae）、ラクトバチルス・ムリナス（Lactobacillus murinus）、ラクトバチルス・ナゲリ（Lactobacillus nagelii）、ラクトバチルス・ナムレンシス（Lactobacillus namurensis）、ラクトバチルス・ナンテンシス（Lactobacillus nantensis）、ラクトバチルス・オリゴファーメンタス（Lactobacillus oligofermentans）、ラクトバチルス・オリス（Lactobacillus oris）、ラクトバチルス・パニス（Lactobacillus panis）、ラクトバチルス・パンテリス（Lactobacillus pantheris）、ラクトバチルス・パラブレビス（Lactobacillus parabrevis）、ラクトバチルス・パラブクネリ（Lactobacillus parabuchneri）、ラクトバチルス・パラコリノイデス（Lactobacillus paracollinoides）、ラクトバチルス・パラファラギニス（Lactobacillus parafarraginis）、ラクトバチルス・パラケフィリ（Lactobacillus parakefiri）、ラクトバチルス・パラリメンタリウス（Lactobacillus paralimentarius）、ラクトバチルス・パラプランタラム（Lactobacillus paraplantarum）、ラクトバチルス・ペントサス（Lactobacillus pentosus）、ラクトバチルス・ペロレンス（Lactobacillus perolens）、ラクトバチルス・プランタラム（Lactobacillus plantarum）、ラクトバチルス・ポンティス（Lactobacillus pontis）、ラクトバチルス・シタッシ（Lactobacillus psittaci）、ラクトバチルス・レニニ（Lactobacillus rennini）、ラクトバチルス・ロイテリ（Lactobacillus reuteri）、ラクトバチルス・ラムノサス（Lactobacillus rhamnosus）、ラクトバチルス・リメ（Lactobacillus rimae）、ラクトバチルス・ロゴセ（Lactobacillus rogosae）、ラクトバチルス・ロッシエ（Lactobacillus rossiae）、ラクトバチルス・ルミニス（Lactobacillus ruminis）、ラクトバチルス・セリミネリ（Lactobacillus saerimneri）、ラクトバチルス・サケイ（Lactobacillus sakei）、ラクトバチルス・サリバリウス（Lactobacillus salivarius）、ラクトバチルス・サンフランシスセンシス（Lactobacillus sanfranciscensis）、ラクトバチルス・サツメンシス���Lactobacillus satsumensis）、ラクトバチルス・セカリフィラス（Lactobacillus secaliphilus）、ラクトバチルス・シャルペ（Lactobacillus sharpeae）、ラクトバチルス・シリギニス（Lactobacillus siliginis）、ラクトバチルス・スピチェリ（Lactobacillus spicheri）、ラクトバチルス・セビカス（Lactobacillus suebicus）、ラクトバチルス・タイランデンシス（Lactobacillus thailandensis）、ラクトバチルス・ウルツネンシス（Lactobacillus ultunensis）、ラクトバチルス・ワクシノステルカス（Lactobacillus vaccinostercus）、ラクトバチルス・ヴァギナリス（Lactobacillus vaginalis）、ラクトバチルス・ベルスモルデンシス（Lactobacillus versmoldensis）、ラクトバチルス・ヴィニ（Lactobacillus vini）、ラクトバチルス・ヴィツリナス（Lactobacillus vitulinus）、ラクトバチルス・ゼエ（Lactobacillus zeae）、ラクトバチルス・ジマエ（Lactobacillus zymae）、乳酸菌（LAB）及びビフィズス菌又はこれらのいかなる組み合わせからなる群から選択される腸内有益菌、からなる群より選択される担体及び／又はアジュバントを含む又は含まないワクチンであり、前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌又はこれらのいかなる組み合わせからなる群から選択される少なくとも１つの治療のために使用されることを特徴とする請求項３７に記載の空気吸入作動装置。
【請求項５４】
前記物質は、コレラ、カタル球菌、コカイン中毒、ＨＩＢ、髄膜炎菌、麻疹、流行性耳下腺炎、風疹、水痘、黄熱病、呼吸器多核体ウイルス、肺炎球菌、連鎖球菌、腸チフス、インフルエンザ、肝炎、Ａ・Ｂ・Ｃ及びＦ型を含む肝炎、ポリオ、ＨＩＶ、パラインフルエンザ、ロタウイルス、ＣＭＶ、クラミジア、莢膜非保有型ヘモフィルス、モラクセラ・カタラーリス、ヒトパピローマウイルス、ＢＣＧを含む結核、淋病、喘息、アテローム性動脈硬化症、マラリア、中耳炎、大腸菌、アルツハイマー、ピロリ菌、サルモネラ菌、糖尿病、癌及び単純ヘルペス、黄色ブドウ球菌、連鎖球菌、中枢神経疾患、脳障害：脳癌、急性脳損傷、脊髄損傷、アルツハイマー病、神経新生、パーキンソン病、うつ病、統合失調症：ニュートロフィン、ＢＤＮＦ、抗ＥＧＦ受容体ＡＢ、リソソーム酵素、ニューレグリンの送達によるもの、又はこれらのいかなる組み合わせからなる群から選択される少なくとも１つの治療のために使用されることを特徴とする請求項３７に記載の空気吸入作動装置。
【請求項５５】
前記物質は、風邪薬、抗中毒薬、抗感染症薬、鎮痛剤、麻酔薬、摂食障害薬、抗関節炎薬、抗アレルギー薬、抗喘息薬、抗痙攣薬、抗うつ剤、抗糖尿病薬、抗利尿薬、鎮吐薬、抗ヒスタミン剤、抗炎症剤、片頭痛予防薬、動揺病予防薬、制吐剤、抗悪性腫瘍薬、抗肥満薬、抗骨粗鬆症剤、抗パーキンソン病薬、鎮痒剤、抗精神病薬、解熱剤、抗コリン薬、ベンゾジアゼピンアンタゴニスト、骨刺激剤、中枢神経興奮薬、ホルモン、睡眠薬、免疫抑制剤、プロスタグランジン、タンパク質、ペプチド、ポリペプチド及びその他の巨大分子、覚醒剤、鼻炎治療剤、鎮静剤、性機能障害剤、精神安定薬、及びビタミンＢ１２を含むビタミン類、腸内有益菌、天然油、天然成分、ペプチド又はタンパク質の治療剤：サイトカイン類、ホルモン、凝固因子、ワクチン、モノクローナル抗体又はこれらのいかなる組み合わせからなる群から選択される治療剤であることを特徴とする請求項３７に記載の空気吸入作動装置。
【請求項５６】
前記物質は、粉体、顆粒、カシェ、カプセル、錠剤、ペースト、クリーム、ゲル、軟膏、塗剤、泡、ペースト、ローション、クリーム、油懸濁液、スプレー、懸濁液、溶液、エマルジョン、パッチ、棒、鼻腔スプレー又は口腔スプレー、うがい薬、エアロゾル、ベンチュリ効果、飲料及び溶液からなる群から選択される形態で前記鼻腔に送達されることを特徴とする請求項３７に記載の空気吸入作動装置。
【請求項５７】
前記物質は、天然油：ミント油、ペパーミント油、スペアミント油、メントール、オリーブ油、ユーカリ油、及びアミノ酸、脂肪酸及び又はこれらのいかなる組み合わせからなる群から選択されることを特徴とする請求項３７に記載の空気吸入作動装置。
【手続補正２】
【補正対象書類名】明細書
【補正対象項目名】００２４
【補正方法】変更
【補正の内容】
【００２４】
本考案の他の態様として、上述した空気吸入作動装置において、物質が、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤である空気吸入作動装置が提供される。
【手続補正３】
【補正対象書類名】明細書
【補正対象項目名】００４７
【補正方法】変更
【補正の内容】
【００４７】
本考案に関連する態様として、上述した方法において、物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤である方法が提供される。
【手続補正４】
【補正対象書類名】明細書
【補正対象項目名】０１８３
【補正方法】変更
【補正の内容】
【０１８３】
いくつかの実施態様によれば、本考案の装置で使用される物質は、血管新生抑制剤、アンチセンス、抗潰瘍薬、ブトルファノール、カルシトニン及びそのアナログ、ＣＯＸ−ＩＩ阻害剤、デスモプレッシンおよびそのアナログ、ジヒドロエルゴタミン、ドーパミンのアゴニスト及びアンタゴニスト、エンケファリン及び他のオピオイドペプチド、成長ホルモンおよびそのアナログ、成長ホルモン放出ホルモン、成長ホルモンアンタゴニスト、ＩｇＥ抑制因子、インスリン、インスリノトロピン及びそのアナログ、ケタミン、黄体形成ホルモン放出ホルモン及びそのアナログ、リドカイン、メトクロプラミド、ミダゾラム、麻薬性鎮痛剤、ノイラミニダーゼ阻害剤、ニコチン、非ステロイド系抗炎症剤、オリゴ糖、オンダンセトロン、副甲状腺ホルモン及びそのアナログ、副甲状腺ホルモンのアンタゴニスト、プロスタグランジンのアンタゴニスト、プロスタグランジン、組換え可溶性レセプター、スコポラミン、セロトニンのアゴニスト及びアンタゴニスト、シルデナフィル、テルブタリン、バソプレッシン又はこれらのいかなる組み合わせからなる群から選択される薬剤でもよい。